(57)【特許請求の範囲】
【請求項１】
無線デバイスで実行される方法であって、
トランスポートメッセージを３ＧＰＰアクセスおよびモビリティ管理機能（ＡＭＦ）に送信することであって、前記トランスポートメッセージが、前記ＡＭＦによって３ＧＰＰセッション管理機能（ＳＭＦ）へと転送されるべきセッション管理（ＳＭ）メッセージを含む、送信することと、
前記ＡＭＦによって送信されたステータスメッセージを受信することであって、前記ステータスメッセージが前記トランスポートメッセージの少なくとも一部と前記セッション管理（ＳＭ）メッセージの不達のインジケーションとを含む、受信することと、を含み、
前記トランスポートメッセージの前記一部が前記セッション管理（ＳＭ）メッセージを含み、不達の前記インジケーションは、前記ＡＭＦによる前記ＳＭＦへの前記セッション管理（ＳＭ）メッセージの不達のインジケーションである方法。
【請求項２】
前記トランスポートメッセージがＵＬ  ＳＭメッセージトランスポートメッセージであり、前記セッション管理（ＳＭ）メッセージが５Ｇセッション管理（５ＧＳＭ）メッセージであり、前記ステータスメッセージが５ＧＭＭステータスメッセージである請求項１に記載の方法。
【請求項３】
前記トランスポートメッセージはさらに、プロトコルデータユニット（ＰＤＵ）セッション識別子、データネットワークネーム（ＤＮＮ）および要求タイプインジケーションのうちの少なくともひとつ以上を含む請求項１または２に記載の方法。
【請求項４】
前記セッション管理（ＳＭ）メッセージは、前記セッション管理（ＳＭ）メッセージに関連付けられたセッション管理トランザクションを特定するプロシージャトランザクション識別子（ＰＴＩ）インジケーションを含む請求項１から３のいずれか一項に記載の方法。
【請求項５】
前記セッション管理（ＳＭ）メッセージは、（ｉ）セッション確立要求メッセージ、（ｉｉ）セッション変更要求メッセージ、および（ｉｉｉ）セッション解放要求メッセージ、のうちのいずれかであり、
前記方法はさらに、
不達の前記インジケーションを受信したことの結果として、タイマを停止することを含む請求項１から４のいずれか一項に記載の方法。
【請求項６】
前記方法はさらに、
不達の前記インジケーションを受信したことの結果として、前記セッション管理（ＳＭ）メッセージに関連付けられたセッションが（ｉ）確立されていない、（ｉｉ）変更されていない、または（ｉｉｉ）解放されていない、のうちのいずれかであると判定することを含む請求項５に記載の方法。
【請求項７】
ユーザデータを提供することと、
基地局への送信を介して、ホストコンピュータに、前記ユーザデータを転送することと、をさらに含む請求項１から６のいずれか一項に記載の方法。
【請求項８】
トランスポートメッセージを３ＧＰＰアクセスおよびモビリティ管理機能（ＡＭＦ）に送信することであって、前記トランスポートメッセージが、前記ＡＭＦによって３ＧＰＰセッション管理機能（ＳＭＦ）へと転送されるべきセッション管理（ＳＭ）メッセージを含む、送信することと、
前記ＡＭＦによって送信されたステータスメッセージを受信することであって、前記ステータスメッセージが前記トランスポートメッセージの少なくとも一部と前記セッション管理（ＳＭ）メッセージの不達のインジケーションとを含む、受信することと、を行うよう構成され、
前記トランスポートメッセージの前記一部が前記セッション管理（ＳＭ）メッセージを含み、不達の前記インジケーションは、前記ＡＭＦによる前記３ＧＰＰセッション管理機能（ＳＭＦ）への不達のインジケーションである無線デバイス。
【請求項９】
さらに、請求項２から７のいずれか一項に記載の方法を実行するよう構成された請求項８に記載の無線デバイス。
【請求項１０】
３ＧＰＰアクセスおよびモビリティ管理機能（ＡＭＦ）によって行われる方法であって、
無線デバイスによって送信されたトランスポートメッセージを受信することであって、前記トランスポートメッセージがセッション管理（ＳＭ）メッセージを含む、受信することと、
前記セッション管理（ＳＭ）メッセージが３ＧＰＰセッション管理機能（ＳＭＦ）に転送可能か否かを判定することと、
前記セッション管理（ＳＭ）メッセージがＳＭＦに転送不可であるとの判定の結果として、前記無線デバイスにステータスメッセージを送信することであって、前記ステータスメッセージが前記トランスポートメッセージの少なくとも一部と前記セッション管理（ＳＭ）メッセージのＳＭＦへの不達のインジケーションとを含み、前記トランスポートメッセージの前記一部が前記セッション管理（ＳＭ）メッセージを含む、送信することと、を含む方法。
【請求項１１】
前記セッション管理（ＳＭ）メッセージがＳＭＦに転送可能か否かを判定することは、少なくとも部分的に、前記トランスポートメッセージに基づく請求項１０に記載の方法。
【請求項１２】
前記トランスポートメッセージがＵＬ  ＳＭメッセージトランスポートメッセージであり、前記セッション管理（ＳＭ）メッセージが５Ｇセッション管理（５ＧＳＭ）メッセージであり、前記ステータスメッセージが５ＧＭＭステータスメッセージである請求項１０または１１に記載の方法。
【請求項１３】
前記セッション管理（ＳＭ）メッセージは、前記セッション管理（ＳＭ）メッセージに関連付けられたセッション管理トランザクションを特定するプロシージャトランザクション識別子（ＰＴＩ）インジケーションを含む請求項１０から１２のいずれか一項に記載の方法。
【請求項１４】
前記トランスポートメッセージはさらに、プロトコルデータユニット（ＰＤＵ）セッション識別子、データネットワークネーム（ＤＮＮ）および要求タイプインジケーションのうちの少なくともひとつ以上を含む請求項１０から１３のいずれか一項に記載の方法。
【請求項１５】
前記セッション管理（ＳＭ）メッセージがＳＭＦに転送可能か否かを、前記トランスポートメッセージに少なくとも部分的に基づいて、判定することは、さらに、
前記ＡＭＦが前記ＰＤＵセッション識別子に対するＰＤＵセッションルーティングコンテクストを有しているか否かを判定することであって、前記要求タイプインジケーションは、前記セッション管理（ＳＭ）メッセージが初期要求に関連付けられていることを示す、判定することと、
前記ＡＭＦが前記ＰＤＵセッション識別子に対するＰＤＵセッションルーティングコンテクストを有していないとの判定の結果として、ＳＭＦは前記セッション管理（ＳＭ）メッセージに対して選択不可能であると判定することと、を含む請求項１４に記載の方法。
【請求項１６】
前記セッション管理（ＳＭ）メッセージがＳＭＦに転送可能か否かを、前記トランスポートメッセージに少なくとも部分的に基づいて、判定することは、さらに、
前記ＡＭＦが前記ＰＤＵセッション識別子に対するＰＤＵセッションルーティングコンテクストを有しているか否かを判定することであって、前記要求タイプインジケーションは、前記セッション管理（ＳＭ）メッセージが既存のＰＤＵセッションに関連付けられていることを示す、判定することと、
前記無線デバイスのサブスクリプションコンテクストを、統合データ管理（ＵＤＭ）から取得することであって、前記サブスクリプションコンテクストが少なくともひとつ以上のＳＭＦ識別子（ＩＤ）を有する、取得することと、
（ｉ）前記ＡＭＦが前記ＰＤＵセッション識別子に対するＰＤＵセッションルーティングコンテクストを有していない、および（ｉｉ）前記少なくともひとつ以上のＳＭＦ  ＩＤが前記ＤＮＮに関連付けられていない、という判定の結果として、ＳＭＦは前記セッション管理（ＳＭ）メッセージに対して選択不可能であると判定することと、を含む請求項１４に記載の方法。
【請求項１７】
前記セッション管理（ＳＭ）メッセージがＳＭＦに転送可能か否かを、前記トランスポートメッセージに少なくとも部分的に基づいて、判定することは、さらに、
前記ＡＭＦが前記ＰＤＵセッション識別子に対するＰＤＵセッションルーティングコンテクストを有しているか否かを判定することであって、前記要求タイプインジケーションは、前記セッション管理（ＳＭ）メッセージが既存のＰＤＵセッションに関連付けられていること、および前記ＤＮＮが前記トランスポートメッセージに含まれていないこと、を示す、判定することと、
前記無線デバイスのサブスクリプションコンテクストを、統合データ管理（ＵＤＭ）から取得することであって、前記サブスクリプションコンテクストが少なくともひとつ以上のＳＭＦ識別子（ＩＤ）を有する、取得することと、
（ｉ）前記ＡＭＦが前記ＰＤＵセッション識別子に対するＰＤＵセッションルーティングコンテクストを有していない、および（ｉｉ）前記少なくともひとつ以上のＳＭＦ  ＩＤがデフォルトのＤＮＮに関連付けられていない、という判定の結果として、ＳＭＦは前記セッション管理（ＳＭ）メッセージに対して選択不可能であると判定することと、を含む請求項１４に記載の方法。
【請求項１８】
前記セッション管理（ＳＭ）メッセージがＳＭＦに転送可能か否かを、前記トランスポートメッセージに少なくとも部分的に基づいて、判定することは、さらに、
前記ＡＭＦが前記ＰＤＵセッション識別子に対するＰＤＵセッションルーティングコンテクストを有しているか否かを判定することであって、前記要求タイプインジケーションが前記トランスポートメッセージに含まれていない、判定することと、
前記ＡＭＦが前記ＰＤＵセッション識別子に対するＰＤＵセッションルーティングコンテクストを有していないとの判定の結果として、ＳＭＦは前記セッション管理（ＳＭ）メッセージに対して選択不可能であると判定することと、を含む請求項１４に記載の方法。
【請求項１９】
ユーザデータを取得することと、
前記ユーザデータをホストコンピュータまたは無線デバイスに転送することと、をさらに含む請求項１０から１８のいずれか一項に記載の方法。
【請求項２０】
請求項１０から１９のいずれか一項に記載の方法を実行するよう構成された３ＧＰＰアクセスおよびモビリティ管理機能（ＡＭＦ）エンティティ。
【請求項２１】
前記セッション管理（ＳＭ）メッセージがＳＭＦに転送可能か否かを判定することは、少なくとも部分的に、前記トランスポートメッセージに基づく請求項２０に記載のＡＭＦエンティティ。
【発明の詳細な説明】
【技術分野】
【０００１】
一般に、本明細書で使用されるすべての用語は、異なる意味が明確に与えられ、かつ／またはそれが使用される文脈から暗示されない限り、関連する技術分野におけるそれらの通常の意味に従って解釈されるべきである。ａ／ａｎ／ｔｈｅ要素、装置、構成要素、手段、ステップなどへの言及はすべて、特に明記しない限り、要素、装置、構成要素、手段、ステップなどの少なくとも１つのインスタンスを指すものとして制限なく解釈されるべきである。本明細書に開示される任意の方法のステップは、ステップが別のステップの後または前として明示的に記載されていない限り、および／またはステップが別のステップの後または前になければならないことが暗黙的でない限り、開示される正確な順序で実行される必要はない。本明細書に開示される実施の形態のいずれかの任意の特徴は、適切な場合には任意の他の実施の形態に適用されてもよい。同様に、任意の実施の形態の任意の利点は任意の他の実施の形態に適用することができ、その逆も同様である。添付の実施の形態の他の目的、特徴、および利点は、以下の説明から明らかになるのであろう。
【背景技術】
【０００２】
３ＧＰＰ  ＴＲ  ２４．８９０ｖ１．０．３（２０１７−０９）「第３世代パートナーシッププロジェクト；技術仕様グループコアネットワークおよび端末；５Ｇシステム−フェーズ１；ＣＴ  ＷＧ１アスペクト（リリース１５）（「３ＧＰＰ  ＴＲ  ２４．８９０」）は、特に、クローズ８．５．１  ５ＧＭＭ共通プロシージャ、およびクローズ９．４  ５ＧＳセッション管理プロシージャ、は、参照により本明細書に組み込まれる。
【０００３】
現在、ある種の課題が存在する。現在のバージョンの３ＧＰＰ  ＴＲ  ２４．８９０  では、５ＧＳＭ（５Ｇセッション管理）メッセージをＵＥからＳＭＦにＡＭＦ経由で転送し、ＳＭＦからＡＭＦ経由でＵＥに戻すことが定義されている。
【０００４】
３ＧＰＰ  ＴＲ  ２４．８９０の現在のバージョンで説明されているように、５ＧＳＭメッセージを送信するために、ＵＥは５ＧＳＭメッセージ、ＰＤＵセッションＩＤ、および他のパラメータ（例えば、ＤＮＮ）を備えるアップリンク（ＵＬ）セッション管理（ＳＭ）メッセージトランスポートメッセージをアクセスモビリティ機能（ＡＭＦ）に送信する。
【０００５】
ＡＭＦは、５ＧＳＭメッセージ、ＰＤＵセッションＩＤ、および他のパラメータを含むＵＬ  ＳＭメッセージトランスポートメッセージをＵＥから受信すると、受信したＵＬ  ＳＭメッセージトランスポートメッセージに基づいてＳＭＦを選択し（ＰＤＵセッションに対してまだ選択されていない場合）、選択されたＳＭＦに５ＧＳＭメッセージを転送する。
【０００６】
いくつかの実施の形態では、ＡＭＦは、受信されたＵＬ  ＳＭメッセージトランスポートメッセージのためのＳＭＦを選択することができないことがある。例えば、ＵＬ  ＳＭメッセージトランスポートメッセージにおいて５ＧＳＭメッセージと共にＵＥによって提供されるデータネットワークネーム（ＤＮＮ）は、そのＵＥについて認可されていない可能性がある。
【０００７】
現在のバージョンの３ＧＰＰ  ＴＲ  ２４．８９０では、受信したＵＬ  ＳＭメッセージトランスポートメッセージに対してＳＭＦを選択できなかったことをＡＭＦがＵＥに通知する方法は規定されていない。
【発明の概要】
【０００８】
本開示およびその実施形態の特定の態様は、これらの困難または他の困難に対する解決策を提供することができる。
【０００９】
いくつかの実施の形態において、ＡＭＦがＳＭメッセージ（例えば、５ＧＳＭメッセージ）を含む受信されたトランスポートメッセージ（例えば、ＵＬ  ＳＭメッセージトランスポートメッセージ）に基づいてＳＭＦを選択できない場合、ＡＭＦは、受信されたトランスポートメッセージと、ＳＭメッセージのためのＳＭＦを選択するのに失敗した原因のインジケーションと、を含むステータスメッセージ（例えば、５ＧＭＭステータスメッセージ）を作成してもよい。
【００１０】
いくつかの実施形態では、ＵＥは、ＡＭＦによって送信されたステータスメッセージ（例えば、５ＧＭＭステータスメッセージ）を受信することができる。いくつかの実施形態では、ステータスメッセージは、トランスポートメッセージ（例えば、ＵＬ  ＳＭメッセージトランスポートメッセージ）を含むことができる。受信したステータスメッセージに基づいて、ＵＥはトランスポートメッセージに含まれるＳＭメッセージ（例えば、５ＧＳＭメッセージ）を取得し、ＳＭメッセージに含まれるプロシージャトランザクション識別子（ＰＴＩ）情報要素（ＩＥ）によって特定されるセッション管理トランザクション（例えば、５ＧＳＭトランザクション）を正常に完了しない場合がある。
【００１１】
本明細書で開示される問題のうちの１つまたは複数に対処する様々な実施の形態が、本明細書で提案される。
【００１２】
いくつかの実施形態では、無線デバイスに実装される方法が提供される。方法は、ＳＭメッセージ（例えば、５ＧＳＭメッセージ）を含むトランスポートメッセージ（例えば、ＵＬ  ＳＭメッセージトランスポートメッセージ）を、アクセスおよびモビリティ機能（ＡＭＦ）に送信することと、前記ＡＭＦによって送信されたステータスメッセージ（例えば、５ＧＭＭステータスメッセージ）を受信することであって、前記ステータスメッセージが前記トランスポートメッセージの少なくとも一部と前記ＳＭメッセージの不達のインジケーションとを含む、受信することと、を含む。ある実施の形態では、不達の前記インジケーションがＳＭＦの不達のインジケーションである。
【００１３】
いくつかの実施形態では、アクセスモビリティ管理機能（ＡＭＦ）に実装される方法が提供される。方法は、無線デバイスによって送信されたトランスポートメッセージ（例えば、ＵＬ  ＳＭメッセージトランスポートメッセージ）を受信することであって、前記トランスポートメッセージがＳＭメッセージ（例えば、５ＧＳＭメッセージ）を含む、受信することと、前記ＳＭメッセージがＳＭＦに転送可能か否かを判定することと、前記ＳＭメッセージがＳＭＦに転送不可であるとの判定の結果として、前記トランスポートメッセージの少なくとも一部と前記ＳＭメッセージのＳＭＦへの不達のインジケーションとを含むステータスメッセージ（例えば、５ＧＭＭステータスメッセージ）を生成することと、無線デバイスにステータスメッセージを送信することと、を含む。ある実施の形態では、前記ＳＭメッセージがＳＭＦに転送可能か否かを判定することは、少なくとも部分的に、前記トランスポートメッセージに基づく。
【００１４】
ある実施の形態は以下の技術的利点のうちのひとつ以上を提供可能である。
【００１５】
本開示によると、ＡＭＦはＵＥに、ＡＭＦがＵＥによって送信された５ＧＳＭメッセージをＳＭＦに向けて転送することに失敗したことに関して通知することができる。
【発明を実施するための形態】
【００１６】
追加的説明
ここで、本明細書で企図される実施形態のいくつかを、添付の図面を参照してより完全に説明する。しかしながら、他の実施形態は本明細書に開示された主題の範囲内に含まれ、開示された主題は本明細書に記載された実施形態のみに限定されると解釈されるべきではなく、むしろ、これらの実施形態は主題の範囲を当業者に伝えるために例として提供される。アペンディクスで提供される文書にも追加的な情報が見出されうる。
【００１７】
３ＧＰＰ  ＴＲ  ２４．８９０の現在のバージョンで説明されているように、５ＧＳＭメッセージを送信するために、ＵＥは、セッション管理（ＳＭ）メッセージ（例えば、５ＧＳＭメッセージ）、ＰＤＵセッションＩＤ、および他のパラメータ（例えば、ＤＮＮ）を備えるトランスポートメッセージ（例えば、アップリンク（ＵＬ）セッション管理（ＳＭ）メッセージトランスポートメッセージ）をアクセスモビリティ機能（ＡＭＦ）に送信する。
【００１８】
ＡＭＦは、ＳＭメッセージ、ＰＤＵセッションＩＤ、および他のパラメータを含むトランスポートメッセージをＵＥから受信すると、受信したトランスポートメッセージに基づいてＳＭＦを選択し（ＰＤＵセッションに対してまだ選択されていない場合）、選択されたＳＭＦにＳＭメッセージを転送する。
【００１９】
３ＧＰＰ  ＴＲ  ２４．８９０のクローズ８．５．１．１．２．１．１．４は、ＵＥ開始ＳＭメッセージトランスポートプロシージャに関するネットワーク側の異常ケースを説明し、そのケースでは、ＡＭＦがトランスポートメッセージに基づいてＳＭＦを選択することができない。
【００２０】
いくつかの実施形態では、第１の異常ケースは、ＡＭＦがトランスポートメッセージおよびＵＥのＰＤＵセッションＩＤに対するＰＤＵセッションルーティングコンテクストを持たず、トランスポートメッセージの要求タイプＩＥが「初期要求」に設定され、ＡＭＦがＳＭＦを選択できない場合であってもよい。
【００２１】
いくつかの実施形態において、第２の異常ケースは、ＡＭＦがトランスポートメッセージとＵＥのＰＤＵセッションＩＤに対するＰＤＵセッションルーティングコンテクストを持たず、トランスポートメッセージの要求タイプＩＥが「既存のＰＤＵセッション」に設定され、統合データ管理（ＵＤＭ）から取得されたユーザのサブスクリプションコンテクストが以下に対応するＳＭＦ  ＩＤを含まない場合であってもよい：（ｉ）トランスポートメッセージのＤＮＮ（ＤＮＮがトランスポートメッセージに含まれている場合）、または（ｉｉ）トランスポートメッセージにＤＮＮが含まれていない場合は、デフォルトのＤＮＮ。これらのシナリオでは、ＡＭＦはＳＭＦの選択に失敗する場合がある。
【００２２】
いくつかの実施形態では、別の異常なケースは、ＵＥがトランスポートメッセージにおいて要求タイプを提供しない場合であり得る。ＡＭＦは、トランスポートメッセージに基づいてＳＭＦ  を選択できない場合がある。
【００２３】
現在のバージョンの３ＧＰＰ  ＴＲ  ２４．８９０では、上記の異常なケースなどにおいて、ＡＭＦがＳＭＦの選択に失敗したことをＵＥに通知する方法は規定されていない。したがって、このような仕様がないと、障害が永続的な原因によるものであると判断され（たとえば、要求されたＤＮＮがＵＥに対して許可されていないＤＮＮ）、ＵＥはＳＭメッセージを新しいトランスポートメッセージでＡＭＦに再送信する可能性がある。新しいトランスポートメッセージを受信すると、ＡＭＦは同じＳＭＦ選択を繰り返すだけで、同じＳＭＦの選択の失敗を繰り返す場合がある。
【００２４】
いくつかの実施形態では、３ＧＰＰ  ＴＲ  ２４．８９０によって説明されるＳＭトランスポートプロシージャ（クローズ８．５．１．１．２．１）は、以下の本開示で説明されるように改善され得る。
【００２５】
いくつかの実施形態では、ＡＭＦがトランスポートメッセージ（例えば、ＵＬ  ＳＭメッセージトランスポートメッセージ）のＳＭメッセージ（例えば、５ＧＳＭメッセージ）を転送することができない場合、ＡＭＦはステータスメッセージ（例えば、５ＧＭＭステータスメッセージ）を作成し、ＵＥに送信することができる。ステータスメッセージは、トランスポートメッセージを含む５ＧＭＭメッセージコンテナＩＥと、ＳＭメッセージの転送に失敗した原因と、を含んでもよい。
【００２６】
いくつかの実施形態では、ＵＥがＳＭメッセージを含むトランスポートメッセージを含む５ＧＭＭメッセージコンテナＩＥを備えるステータスメッセージを受信する場合、５ＧＭＭレイヤは５ＧＳＭレイヤに、ＳＭメッセージの不達について通知することができる。ＳＭメッセージの不達に関する通知に基づいて、５ＧＳＭプロシージャは、ＳＭメッセージのいかなる再送も停止し、５ＧＳＭプロシージャの完了が成功しなかったとみなしてもよい。
【００２７】
いくつかの実施形態では、ＡＭＦは、例えば、第１の異常ケースにおいて、ＡＭＦが上述のようにＳＭＦを選択することに失敗したことに基づいてステータスメッセージを生成してもよい。例えば、ＡＭＦがトランスポートメッセージおよびＵＥのＰＤＵセッションＩＤに対するＰＤＵセッションルーティングコンテクストを持たず、トランスポートメッセージの要求タイプＩＥが「初期要求」に設定され、ＡＭＦがＳＭＦを選択できない場合、ＡＭＦはステータスメッセージを生成してもよい。ＡＭＦは、いくつかの実施形態に従って、生成されたステータスメッセージの５ＧＭＭメッセージコンテナＩＥを、Ｕトランスポートメッセージに設定することができる。ＡＭＦは、生成されたステータスメッセージの原因ＩＥを、ＳＭＦの選択に失敗した原因を示す原因に設定してもよい。ＡＭＦは、生成されたステータスメッセージをＵＥに送信できる。
【００２８】
いくつかの実施形態では、ＡＭＦは、例えば、第２の異常ケースにおいて、ＡＭＦが上述のようにＳＭＦを選択することに失敗したことに基づいてステータスメッセージを生成してもよい。例えば、ＡＭＦがトランスポートメッセージとＵＥのＰＤＵセッションＩＤに対するＰＤＵセッションルーティングコンテクストを持たず、トランスポートメッセージの要求タイプＩＥが「既存のＰＤＵセッション」に設定され、統合データ管理（ＵＤＭ）から取得されたユーザのサブスクリプションコンテクストが、ＤＮＮがトランスポートメッセージに含まれる場合のそのトランスポートメッセージのＤＮＮに対応するＳＭＦ  ＩＤを含まない場合、ＡＭＦはステータスメッセージを生成してもよい。ＡＭＦは、いくつかの実施形態に従って、生成されたステータスメッセージの５ＧＭＭメッセージコンテナＩＥを、トランスポートメッセージに設定することができる。ＡＭＦは、生成されたステータスメッセージの原因ＩＥを、ＳＭＦの選択に失敗した原因を示す原因に設定してもよい。ＡＭＦは、生成されたステータスメッセージをＵＥに送信できる。
【００２９】
別の例として、ＡＭＦがトランスポートメッセージとＵＥのＰＤＵセッションＩＤに対するＰＤＵセッションルーティングコンテクストを持たず、トランスポートメッセージの要求タイプＩＥが「既存のＰＤＵセッション」に設定され、統合データ管理（ＵＤＭ）から取得されたユーザのサブスクリプションコンテクストが、ＤＮＮがトランスポートメッセージに含まれない場合のデフォルトのＤＮＮに対応するＳＭＦ  ＩＤを含まない場合、ＡＭＦはステータスメッセージを生成してもよい。ＡＭＦは、いくつかの実施形態に従って、生成されたステータスメッセージの５ＧＭＭメッセージコンテナＩＥを、トランスポートメッセージに設定することができる。ＡＭＦは、生成されたステータスメッセージの原因ＩＥを、ＳＭＦの選択に失敗した原因を示す原因に設定してもよい。ＡＭＦは、生成されたステータスメッセージをＵＥに送信できる。
【００３０】
いくつかの実施形態では、ＡＭＦがトランスポートメッセージとＵＥのＰＤＵセッションＩＤに対するＰＤＵセッションルーティングコンテクストを持たず、トランスポートメッセージの要求タイプＩＥが提供されていない場合に、ＡＭＦは、ＡＭＦがＳＭＦの選択に失敗したことに基づいてステータスメッセージを作成してもよい。ＡＭＦは、いくつかの実施形態に従って、生成されたステータスメッセージの５ＧＭＭメッセージコンテナＩＥを、トランスポートメッセージに設定することができる。ＡＭＦは、生成されたステータスメッセージの原因ＩＥを、ＳＭＦの選択に失敗した原因を示す原因に設定してもよい。ＡＭＦは、生成されたステータスメッセージをＵＥに送信できる。
【００３１】
いくつかの実施形態では、３ＧＰＰ  ＴＲ  ２４．８９０のクローズ８．５．１．１．２．１．１は、ＵＥ開始ＳＭメッセージトランスポート開始がネットワークによって受け入れられない実施形態を説明するために改善され得る。
【００３２】
いくつかの実施形態によれば、ＵＥは上述のＡＭＦによって送信されたステータスメッセージ（例えば、５ＧＭＭステータスメッセージ）を受信することができる。トランスポートメッセージ（例えば、ＵＬ  ＳＭメッセージトランスポートメッセージ）を含む５ＧＭＭメッセージコンテナＩＥをもつステータスメッセージを受信すると、ＵＥは３ＧＰＰ  ＴＲ  ２４．８９０のクローズ９で規定されている５ＧＳＭプロシージャに、トランスポートメッセージのＳＭメッセージ（例えば、５ＧＳＭメッセージ）と共に、不達のインジケーションを渡してもよい。具体的には、ＵＥのモビリティ管理レイヤは、ＳＭメッセージをＡＭＦによって転送できなかったことを通知するために、ＳＭメッセージと共に不達のインジケーションを、ＵＥのセッション管理プロトコルレイヤに渡してもよい。
【００３３】
いくつかの実施形態では、３ＧＰＰ  ＴＲ  ２４．８９０によって説明されるような５ＧＳセッション管理プロシージャ（クローズ９．４）は、以下の本開示で説明されるように改善され得る。
【００３４】
３ＧＰＰ  ＴＲ  ２４．８９０のクローズ９．４．２．５は、ＵＥが要求したＰＤＵセッション確立プロシージャにおけるＵＥにおける異常ケースを記載している。ある実施形態では、ＵＥのセッション管理プロトコルレイヤは、割り当てられたＰＴＩ値にＰＴＩ  ＩＥが設定されたセッション確立要求メッセージ（例えば、ＰＤＵセッション確立要求メッセージ）と共に、ＵＥのモビリティ管理レイヤから不達のインジケーションを受信してもよい。いくつかの実施形態では、不達のインジケーションは、ＡＭＦによって送信されたステータスメッセージ（例えば、５ＧＭＭステータスメッセージ）を受信するＵＥによってトリガされたＵＥ内部インジケーションであってもよい。割り当てられたＰＴＩ値に設定されたＰＴＩ  ＩＥを有するセッション確立要求メッセージと共に不達のインジケーションを受信すると、ＵＥは、タイマ（例えば、Ｔｘ）を停止し、割り当てられたＰＴＩ値を解放し、ＰＤＵセッションが確立されていないと見なすことができる。
【００３５】
３ＧＰＰ  ＴＲ  ２４．８９０のクローズ９．４．４．５は、ＵＥが要求したＰＤＵセッション変更プロシージャにおけるＵＥにおける異常ケースを記載している。ある実施形態では、ＵＥのセッション管理プロトコルレイヤは、割り当てられたＰＴＩ値にＰＴＩ  ＩＥが設定されたセッション変更要求メッセージ（例えば、ＰＤＵセッション変更要求メッセージ）と共に、ＵＥのモビリティ管理レイヤから不達のインジケーションを受信してもよい。いくつかの実施形態では、不達のインジケーションは、ＡＭＦによって送信されたステータスメッセージ（例えば、５ＧＭＭステータスメッセージ）を受信するＵＥによってトリガされたＵＥ内部インジケーションであってもよい。割り当てられたＰＴＩ値に設定されたＰＴＩ  ＩＥを有するセッション変更要求メッセージと共に不達のインジケーションを受信すると、ＵＥは、タイマ（例えば、Ｔｋ）を停止し、割り当てられたＰＴＩ値を解放し、ＰＤＵセッションが変更されていないと見なすことができる。
【００３６】
３ＧＰＰ  ＴＲ  ２４．８９０のクローズ９．４．６．５は、ＵＥが要求したＰＤＵセッション解放プロシージャにおけるＵＥにおける異常ケースを記載している。ある実施形態では、ＵＥのセッション管理プロトコルレイヤは、割り当てられたＰＴＩ値にＰＴＩ  ＩＥが設定されたセッション解放要求メッセージ（例えば、ＰＤＵセッション解放要求メッセージ）と共に不達のインジケーションを受信してもよい。いくつかの実施形態では、不達のインジケーションは、ＡＭＦによって送信されたステータスメッセージ（例えば、５ＧＭＭステータスメッセージ）を受信するＵＥによってトリガされたＵＥ内部インジケーションであってもよい。割り当てられたＰＴＩ値に設定されたＰＴＩ  ＩＥを有するセッション解放要求メッセージと共に不達のインジケーションを受信すると、ＵＥは、タイマ（例えば、Ｔｚ）を停止し、割り当てられたＰＴＩ値を解放し、ＰＤＵセッションが解放されていないと見なすことができる。
【００３７】
いくつかの実施形態では、３ＧＰＰ  ＴＲ  ２４．８９０に対する代替の改善が以下の本開示によって説明されるように提供され得る。
【００３８】
代替（１）：いくつかの実施形態によれば、ＵＥ開始ＮＡＳトランスポートプロシージャは、トランスポート許容メッセージ（例えば、ＵＬ  ＳＭメッセージトランスポート許容メッセージ）またはトランスポート拒否メッセージ（例えば、ＵＬ  ＳＭメッセージトランスポート拒否メッセージ）で拡張されてもよく、ＡＭＦはトランスポート要求メッセージ（例えば、ＵＬ  ＳＭメッセージトランスポート要求メッセージ）の受信および処理時にそれを送信する。ＵＥによって開始されるＮＡＳトランスポートプロシージャは、任意の時点で１つまでしか実行できない。ＡＭＦがトランスポート要求メッセージのＳＭメッセージ（例えば、５ＧＳＭメッセージ）を転送できる場合、ＡＭＦはトランスポート許容メッセージを送信してもよい。ＡＭＦがトランスポート要求メッセージのＳＭメッセージを転送できない場合、ＡＭＦはトランスポート拒否メッセージを送信することがある。ある実施形態では、トランスポート要求メッセージは、トランスポート要求メッセージ原因のＳＭメッセージを転送するのに失敗した原因を含んでもよい。したがって、信頼性がＳＭトランスポートレイヤ上に提供されてもよく、５ＧＳＭプロシージャはＳＭメッセージを再送する必要はないであろう。ＳＭメッセージの輸送が失敗した場合、ＵＥはトランスポート拒否メッセージを受信し、５ＧＳＭプロシージャは５ＧＳＭプロシージャが正常に完了されなかったと見なす。
【００３９】
いくつかの実施形態において、代替案（１）はＳＭメッセージを輸送するために２つのＮＡＳメッセージを必要とすることがあり、一方、３ＧＰＰ  ＴＲ  ２４．８９０に記載されている既存のプロシージャは、１つのＮＡＳメッセージを必要とする。
【００４０】
代替（２）：いくつかの実施形態によれば、ＡＭＦは、拒否用のデフォルトＳＭＦを用いて構成されてもよい。ＡＭＦは、ＡＭＦが拒否用のデフォルトＳＭＦにルート転送できないＳＭメッセージ（５ＧＳＭメッセージなど）をルーティングできる。したがって、デフォルトＳＭＦは適切な応答メッセージ（例えば、５ＧＳＭ応答メッセージ）を伴うＳＭメッセージを拒否してもよい。
【００４１】
いくつかの実施形態では、代替（２）はＳＭＦの展開を必要とする。いくつかの実施形態では、ＳＭＦが完全に機能的である必要はない。例えば、ＳＭＦは、ＵＥからのＳＭメッセージを拒否することができさえすればよい。
【００４２】
代替（３）：いくつかの実施形態によれば、ＡＭＦは何もしなくてもよく、ＡＭＦがＳＭメッセージに対してＳＭＦを選択できないときに、ＵＥからＳＭメッセージ（例えば、５ＧＳＭメッセージ）の再送を受信し続けてもよい。
【００４３】
本明細書で説明される主題は任意の適切な構成要素を使用して任意の適切なタイプのシステムで実装され得るが、本明細書で開示される実施の形態は図ＱＱ１に示される例示的な無線ネットワーク等の無線ネットワークに関して説明される。簡単にするために、図ＱＱ１の無線ネットワークは、ネットワークＱＱ１０６、ネットワークノードＱＱ１６０およびＱＱ１６０ｂ、ならびにＷＤＱＱ１１０、ＱＱ１１０ｂおよびＱＱ１１０ｃのみを示す。実際、無線ネットワークはさらに、無線デバイス間、または無線デバイスと他の通信デバイス（固定電話、サービスプロバイダ、または任意の他のネットワークノードや終端デバイスなど）との間の通信をサポートするのに適切な追加的要素を含んでもよい。図示された構成要素のうち、ネットワークノードＱＱ１６０および無線デバイス（ＷＤ）ＱＱ１１０が、さらなる詳細とともに示される。無線ネットワークは、無線ネットワークによって、または無線ネットワークを介して提供されるサービスへの無線デバイスのアクセスおよび／またはそのサービスの使用を容易にするために、１つまたは複数の無線デバイスに通信および他のタイプのサービスを提供することができる。
【００４４】
無線ネットワークは、任意のタイプの通信、電気通信、データ、セルラ、および／または無線ネットワーク、または他の同様のタイプのシステムを備え、かつ／またはそれらとインタフェースすることができる。いくつかの実施形態では、無線ネットワークが特定の規格または他のタイプの事前定義された規則または手順に従って動作するように構成され得る。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、物の狭帯域インターネット（ＮＢ−ＩｏＴ）、および／または他の適切な２Ｇ、３Ｇ、４Ｇ、または５Ｇ規格等の通信規格、ＩＥＥＥ  ８０２．１１規格等の無線ローカルエリアネットワーク（ＷＬＡＮ）規格、および／またはマイクロ波アクセスのための世界規模相互運用性（ＷｉＭａｘ）、Ｂｌｕｅｔｏｏｔｈ、Ｚ−Ｗａｖｅ、および／またはＺｉｇＢｅｅ規格等の任意の他の適切な無線通信規格を実装することができる。
【００４５】
ネットワークＱＱ１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備えることができる。
【００４６】
ネットワークノードＱＱ１６０およびＷＤＱＱ１１０は、以下でより詳細に説明する様々な構成要素を備える。これらの構成要素は、無線ネットワークにおける無線接続を提供する等、ネットワークノードおよび／または無線デバイスの機能を提供するために協働する。異なる実施形態では、無線ネットワークが任意の数の有線または無線ネットワーク、ネットワークノード、基地局、コントローラ、無線デバイス、中継局、および／または有線または無線接続を介するかどうかにかかわらず、データおよび／または信号の通信を容易にするかまたは参加することができる任意の他の構成要素またはシステムを備えることができる。
【００４７】
本明細書で使用されるように、ネットワークノードは無線デバイスへの無線アクセスを可能にし、および／または無線デバイスへの無線アクセスを提供し、および／または無線ネットワーク内の他の機能（たとえば、管理）を実行するために、無線デバイスと、および／または無線ネットワーク内の他のネットワークノードまたは機器と直接的または間接的に通信することが可能であり、構成され、配置され、および／または動作可能な機器を指す。ネットワークノードの例はアクセスポイント（ＡＰ）（例えば、無線アクセスポイント）、基地局（Ｂｓ）（例えば、無線基地局、ノードＢ、進化型ノードＢ（ｅＮＢ）およびＮＲノードＢ（ｇＮＢ））を含むが、これらに限定されない。基地局はそれらが提供する（または別の言い方をすれば、それらの送信電力レベル）カバレージの量に基づいて分類され得、次いで、フェムト基地局、ピコ基地局、マイクロ基地局、またはマクロ基地局とも呼ばれ得る。基地局は、リレーを制御するリレーノードまたはリレードナーノードであってもよい。ネットワークノードは、集中型デジタルユニットおよび／または遠隔無線ユニット（ＲＲＵ）（遠隔無線ヘッド（ＲＲＨ）と呼ばれることもある）等の分散型無線基地局の１つまたは複数の（またはすべての）部分を含むこともできる。このような遠隔無線ユニットはアンテナ一体型無線機としてアンテナと一体化されていてもよいし、されていなくてもよい。分散無線基地局の一部は、分散アンテナシステム（ＤＡＳ）におけるノードと呼ばれることもある。ネットワークノードのさらに別の例はＭＳＲ  ＢＳ等のマルチスタンダード無線（ＭＳＲ）機器、無線ネットワークコントローラ（ＲＮＣ）または基地局コントローラ（ＢＳＣ）等のネットワークコントローラ、基地トランシーバ局（ＢＴＳ）、伝送ポイント、伝送ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するような仮想ネットワークノードであってもよい。しかしながら、より一般的には、ネットワークノードは、無線ネットワークへのアクセスを可能にし、かつ／またはそのようなアクセスを無線デバイスに提供し、あるいは無線ネットワークにアクセスした無線デバイスに何らかのサービスを提供することができる、そのように構成される、そのように構築される、および／またはそのように動作可能な、任意の適切なデバイス（またはデバイスのグループ）を表すことができる。
【００４８】
図ＱＱ１では、ネットワークノードＱＱ１６０が処理回路ＱＱ１７０、デバイス可読媒体ＱＱ１８０、インタフェースＱＱ１９０、補助装置ＱＱ１８４、電源ＱＱ１８６、電力回路ＱＱ１８７、およびアンテナＱＱ１６２を含む。図ＱＱ１の例示的な無線ネットワークに示されたネットワークノードＱＱ１６０は、ハードウェアコンポーネントの図示された組合せを含むデバイスを表すことができるが、他の実施形態はコンポーネントの異なる組合せを有するネットワークノードを備えることができる。ネットワークノードは、本明細書で開示されるタスク、特徴、機能、および方法を実行するために必要とされるハードウェアおよび／またはソフトウェアの任意の適切な組合せを備えることを理解されたい。さらに、ネットワークノードＱＱ１６０のコンポーネントはより大きなボックス内に配置された単一のボックスとして示されているか、または複数のボックス内にネストされているが、実際にはネットワークノードが単一の例示されたコンポーネントを構成する複数の異なる物理コンポーネントを備えることができる（たとえば、デバイス可読媒体ＱＱ１８０は複数の別個のハードドライブならびに複数のＲＡＭモジュールを備えることができる）。
【００４９】
同様に、ネットワークノードＱＱ１６０は複数の物理的に別個のコンポーネント（例えば、ノードＢコンポーネントおよびＲＮＣコンポーネント、またはＢＴＳコンポーネントおよびＢＳＣコンポーネント等）から構成されてもよく、それらはそれぞれ、それら自体のそれぞれのコンポーネントを有する可能性がある。ネットワークノードＱＱ１６０が複数の別個の構成要素（例えば、ＢＴＳおよびＢＳＣ構成要素）を備える特定のシナリオでは、別個の構成要素のうちの１つまたは複数がいくつかのネットワークノード間で共有され得る。例えば、単一のＲＮＣは、複数のノードＢを制御することができる。そのようなシナリオでは、各固有のノードＢおよびＲＮＣペアがいくつかの例では単一の別個のネットワークノードと見なされ得る。いくつかの実施形態では、ネットワークノードＱＱ１６０が複数の無線アクセス技術（ＲＡＴ）をサポートするように構成され得る。そのような実施形態では、いくつかのコンポーネントが複製されてもよく（例えば、異なるＲＡＴのための別個のデバイス可読媒体ＱＱ１８０）、いくつかのコンポーネントは再使用されてもよい（例えば、同じアンテナＱＱ１６２はＲＡＴによって共有されてもよい）。また、ネットワークノードＱＱ１６０は、例えば、ＧＳＭ、ＷＣＤＭＡ、ＬＴＥ、ＮＲ、ＷｉＦｉまたはＢｌｕｅｔｏｏｔｈ無線技術のような、ネットワークノードＱＱ１６０に統合される異なる無線技術のための各種説明された構成要素の複数設定を含むことができる。これらの無線技術は、ネットワークノードＱＱ１６０内の同じまたは異なるチップまたはチップの集合および他のコンポーネントに統合され得る。
【００５０】
処理回路ＱＱ１７０は、ネットワークノードによって提供されるものとして本明細書で説明される任意の判定、計算、または類似の操作（例えば、ある取得操作）を実行するように構成される。処理回路ＱＱ１７０によって実行されるこれらの動作は、例えば、取得された情報を他の情報に変換すること、取得された情報または変換された情報をネットワークノードに格納された情報と比較すること、および／または取得された情報または変換された情報に基づいて１つまたは複数の動作を実行すること、および前記処理の結果として判定を行うことによって、処理回路ＱＱ１７０によって取得された情報を処理することを含み得る。
【００５１】
処理回路ＱＱ１７０は、マイクロプロセッサ、コントローラ、マイクロコントローラ、中央処理ユニット、デジタル信号プロセッサ、特定用途向け集積回路、フィールドプログラマブルゲートアレイ、または任意の他の適切なコンピューティングデバイス、リソース、またはハードウェア、ソフトウェア、および／または符号化ロジックの組合せのうちの１つまたは複数の組合せを備えることができ、これらは、単独で、またはデバイス可読媒体ＱＱ１８０、ネットワークノードＱＱ１６０機能等の他のネットワークノードＱＱ１６０構成要素と併せてのいずれかで提供するように動作可能である。例えば、処理回路ＱＱ１７０は、デバイス可読媒体ＱＱ１８０または処理回路ＱＱ１７０内のメモリに格納された命令を実行することができる。そのような機能は、本明細書で説明される各種無線特徴、機能、または利益のいずれかを提供することを含むことができる。一部の実施形態において、処理回路ＱＱ１７０は、チップ（ＳＯＣ）上のシステムを含むことができる。
【００５２】
いくつかの実施形態では、処理回路ＱＱ１７０が無線周波数（ＲＦ）トランシーバ回路ＱＱ１７２およびベースバンド処理回路ＱＱ１７４のうちの１つまたは複数を含むことができる。いくつかの実施形態では、無線周波数（ＲＦ）トランシーバ回路ＱＱ１７２およびベースバンド処理回路ＱＱ１７４が別個のチップ（またはチップの設定）、ボード、または無線ユニットおよびデジタルユニット等のユニット上にあってもよい。代替実施形態では、ＲＦトランシーバ回路ＱＱ１７２およびベースバンド処理回路ＱＱ１７４の一部または全部が同じチップまたはチップ、ボード、またはユニットの設定上にあってもよい。
【００５３】
特定の実施形態では、ネットワークノード、基地局、ｅＮＢ、またはその他のネットワーク装置によって提供されるように説明される機能の一部または全部がデバイス可読媒体ＱＱ１８０上に記憶される、または処理回路ＱＱ１７０内のメモリに記憶される命令を実行するために、処理回路ＱＱ１７０によって実行されることができる。代替の実施形態では、機能のいくつかまたはすべてはハードワイヤード方式等で、別個のまたは個別のデバイス可読媒体上に格納された命令を実行することなく、処理回路ＱＱ１７０によって提供され得る。これらの実施形態のいずれにおいても、デバイス可読記憶媒体上に記憶された命令を実行するか否かにかかわらず、処理回路ＱＱ１７０は、説明された機能を実行するように構成され得る。そのような機能性によって提供される利点は処理回路ＱＱ１７０のみ、またはネットワークノードＱＱ１６０の他の構成要素に限定されず、ネットワークノードＱＱ１６０全体によって、および／またはエンドユーザおよび無線ネットワーク全体によって享受される。
【００５４】
デバイス可読媒体ＱＱ１８０は永続記憶装置、ソリッドステートメモリ、遠隔装着メモリ、磁気媒体、光学媒体、ランダムアクセスメモリ（ＲＡＭ）、読み出し専用メモリ（ＲＯＭ）、大容量記憶媒体（例えば、ハードディスク）、取り外し可能記憶媒体（例えば、フラッシュドライブ、コンパクトディスク（ＣＤ）またはデジタルビデオディスク（ＤＶＤ））、および／または処理回路ＱＱ１７０によって使用され得る情報、データ、および／または指示を記憶する任意の他の揮発性または不揮発性、不揮発性のデバイス可読および／またはコンピュータ実行可能メモリデバイスを含むが、これらに限定されない、揮発性または不揮発性のコンピュータ可読メモリの任意の形態を含み得る。デバイス可読媒体ＱＱ１８０は、コンピュータプログラム、ソフトウエア、論理や規則やコードやテーブルなどのうちの１つまたは複数を含むアプリケーション、および／または処理回路ＱＱ１７０によって実行可能でありネットワークノードＱＱ１６０によって使用可能な他のインストラクションを含む、任意の適切なインストラクション、データまたは情報を保持してもよい。デバイス可読媒体ＱＱ１８０は、処理回路ＱＱ１７０によって行われた任意の計算、および／またはインタフェースＱＱ１９０を介して受信された任意のデータを格納するために使用され得る。いくつかの実施形態では、処理回路ＱＱ１７０およびデバイス可読媒体ＱＱ１８０が一体化されていると考えることができる。
【００５５】
インターフェースＱＱ１９０は、ネットワークノードＱＱ１６０、ネットワークＱＱ１０６、および／またはＷＤＱＱ１１０間のシグナリングおよび／またはデータの有線または無線通信に使用される。図示のように、インターフェースＱＱ１９０は、例えば有線接続を介してネットワークＱＱ１０６との間でデータを送受信するためのポート／端子ＱＱ１９４を備える。インターフェースＱＱ１９０はまた、アンテナＱＱ１６２に結合され得る、または、ある実施形態ではアンテナＱＱ１６２の一部に結合され得る、無線フロントエンド回路ＱＱ１９２を含む。無線フロントエンド回路ＱＱ１９２は、フィルタＱＱ１９８および増幅器ＱＱ１９６を含む。無線フロントエンド回路ＱＱ１２２は、アンテナＱＱ１６２および処理回路ＱＱ１７０に接続され得る。無線フロントエンド回路は、アンテナＱＱ１６２と処理回路ＱＱ１７０との間で通信される信号を調整するように構成され得る。無線フロントエンド回路ＱＱ１９２は、無線接続を介して他のネットワークノードまたはＷＤに送出されるデジタルデータを受信することができる。無線フロントエンド回路ＱＱ１９２は、フィルタＱＱ１９８および／または増幅器ＱＱ１９６の組合せを使用して、デジタルデータを適切なチャネルおよび帯域幅パラメータを有する無線信号に変換することができる。次いで、無線信号は、アンテナＱＱ１６２を介して送信され得る。同様に、データを受信するとき、アンテナＱＱ１６２は、無線フロントエンド回路ＱＱ１９２によってデジタルデータに変換される無線信号を収集することができる。デジタルデータは、処理回路ＱＱ１７０に渡されてもよい。他の実施形態では、インタフェースが異なる構成要素および／または構成要素の異なる組合せを含むことができる。
【００５６】
ある代替実施形態では、ネットワークノードＱＱ１６０が別個の無線フロントエンド回路ＱＱ１９２を含まなくてもよく、その代わりに、処理回路ＱＱ１７０は無線フロントエンド回路を含んでもよく、別個の無線フロントエンド回路ＱＱ１９２なしでアンテナＱＱ１６２に接続されてもよい。同様に、いくつかの実施形態では、ＲＦトランシーバ回路ＱＱ１７２のすべてまたはいくつかはインタフェースＱＱ１９０の一部と見なされ得る。さらに他の実施形態ではインターフェースＱＱ１９０が無線ユニット（図示せず）の一部として、１つまたは複数のポートまたは端子ＱＱ１９４、無線フロントエンド回路ＱＱ１９２、およびＲＦトランシーバ回路ＱＱ１７２を含むことができ、インターフェースＱＱ１９０はデジタルユニット（図示せず）の一部であるベースバンド処理回路ＱＱ１７４と通信することができる。
【００５７】
アンテナＱＱ１６２は、無線信号を送信および／または受信するように構成された１つまたは複数のアンテナ、またはアンテナアレイを含み得る。アンテナＱＱ１６２は無線フロントエンド回路ＱＱ１９０に結合することができ、データおよび／または信号を無線で送受信することができる任意のタイプのアンテナとすることができる。いくつかの実施形態では、アンテナＱＱ１６２が例えば、２ＧＨｚと６６ＧＨｚとの間で無線信号を送信／受信するように動作可能な１つまたは複数の全方向性セクタまたはパネルアンテナを備えることができる。無指向性アンテナは任意の方向に無線信号を送信／受信するために使用されてもよく、セクタアンテナは特定のエリア内のデバイスから無線信号を送信／受信するために使用されてもよく、パネルアンテナは比較的直線で無線信号を送信／受信するために使用される見通し線（ｌｉｎｅ  ｏｆ  ｓｉｇｈｔ）アンテナであってもよい。いくつかの例では、２つ以上のアンテナの使用がＭＩＭＯと呼ばれ得る。いくつかの実施形態では、アンテナＱＱ１６２がネットワークノードＱＱ１６０とは別個であってもよく、インタフェースまたはポートを介してネットワークノードＱＱ１６０に接続可能であってもよい。
【００５８】
アンテナＱＱ１６２、インタフェースＱＱ１９０、および／または処理回路ＱＱ１７０は、ネットワークノードによって実行されるものとして本明細書で説明される任意の受信動作および／または特定の取得動作を実行するように構成され得る。任意の情報、データ、および／または信号は、無線デバイス、別のネットワークノード、および／または任意の他のネットワーク機器から受信され得る。同様に、アンテナＱＱ１６２、インターフェースＱＱ１９０、および／または処理回路ＱＱ１７０は、ネットワークノードによって実行されるものとして本明細書で説明される任意の送信動作を実行するように構成され得る。任意の情報、データ、および／または信号は、無線デバイス、別のネットワークノード、および／または任意の他のネットワーク機器に送信され得る。
【００５９】
電力回路ＱＱ１８７は、電力管理回路を備えてもよく、または電力管理回路に結合されてもよく、本明細書で説明される機能を実行するための電力をネットワークノードＱＱ１６０の構成要素に供給するように構成される。電力回路ＱＱ１８７は、電源ＱＱ１８６から電力を受け取ることができる。電源ＱＱ１８６および／または電力回路ＱＱ１８７はそれぞれの構成要素に適した形式でネットワークノードＱＱ１６０の様々な構成要素に電力を提供するように構成されてもよい（例えば、各構成要素に必要な電圧および電流のレベルで）。電源ＱＱ１８６は電力回路ＱＱ１８７および／またはネットワークノードＱＱ１６０に含まれるか、又は外部から構成されてもよい。例えば、ネットワークノードＱＱ１６０は電気ケーブル等の入力回路またはインタフェースを介して外部電源（例えば、電気コンセント）に接続可能であり得、それによって、外部電源は、電力回路ＱＱ１８７に電力を供給する。さらなる例として、電源ＱＱ１８６は、電力回路ＱＱ１８７に接続されるか、または電力回路２８７に統合される、バッテリまたはバッテリパックの形態の電源を備えてもよい。バッテリは、外部電源が故障した場合にバックアップ電力を供給することができる。光起電装置のような他のタイプの電源も使用することができる。
【００６０】
ネットワークノードＱＱ１６０の代替的な実施の形態は、ネットワークノードの機能のある側面を提供することの責を負う、図ＱＱ１に示されるものを超える追加的なコンポーネントを含んでもよく、そのような機能は上述の機能のいずれかおよび／または本明細書で説明される主題をサポートするのに必要な機能を含む。例えば、ネットワークノードＱＱ１６０はネットワークノードＱＱ１６０への情報の入力を可能にし、ネットワークノードＱＱ１６０からの情報の出力を可能にするユーザインタフェース装置を含むことができる。これにより、ユーザは、ネットワークノードＱＱ１６０の診断、保守、修理、および他の管理機能を実行することができる。
【００６１】
本明細書で使用されるように、無線デバイス（ＷＤ）は、ネットワークノードおよび／または他の無線デバイスと無線に通信することができる、構成される、配置される、および／または動作可能なデバイスを指す。特に断らない限り、用語ＷＤは、本明細書ではユーザ装置（ＵＥ）と互換的に使用され得る。無線通信は、電磁波、電波、赤外線、および／またはエアを介して情報を伝達するのに適した他のタイプの信号を使用して、無線信号を送信および／または受信することを伴ってもよい。いくつかの実施形態では、ＷＤが直接的な人間の対話なしに情報を送信および／または受信するように構成され得る。例えば、ＷＤは内部イベントまたは外部イベントによってトリガされたとき、またはネットワークからの要求に応答して、所定のスケジュールでネットワークに情報を送信するように設計され得る。ＷＤの例にはスマートフォン、携帯電話、セルラ電話、ボイスオーバーＩＰ（ＶｏＩＰ）電話、無線ローカルループ電話、デスクトップコンピュータ、携帯情報端末（ＰＤＡ）、無線カメラ、ゲームコンソールまたはデバイス、音楽記憶装置、再生機器、ウェアラブル端末装置、無線エンドポイント、移動局、タブレット、ラップトップ、ラップトップ埋め込み機器（ＬＥＥ）、ラップトップマウント機器（ＬＭＥ）、スマートデバイス、無線顧客構内機器（ＣＰＥ）、車載無線端末装置等が含まれるが、これらに限定されない。ＷＤは例えば、サイドランク通信のための３ＧＰＰ標準、車両間（Ｖ２Ｖ）、車両間インフラストラクチャ（Ｖ２Ｉ）、車両間（Ｖ２Ｘ）を実装することによって、デバイスツーデバイス（Ｄ２Ｄ）通信をサポートすることができ、この場合、Ｄ２Ｄ通信デバイスと呼ばれることがある。さらに別の特定の例として、ＩｏＴ（Ｉｎｔｅｒｎｅｔ  ｏｆ  Ｔｈｉｎｇｓ（モノのインターネット））シナリオでは、ＷＤが監視および／または測定を実行し、そのような監視および／または測定の結果を別のＷＤおよび／またはネットワークノードに送信する機械または他のデバイスを表すことができる。この場合、ＷＤはマシンツーマシン（Ｍ２Ｍ）デバイスであってもよく、３ＧＰＰコンテキストではＭＴＣデバイスと呼ばれてもよいある特定の例として、ＷＤは３ＧＰＰの狭帯域物のインターネット化（ｉｎｔｅｒｎｅｔ  ｏｆ  ｔｈｉｎｇｓ）（ＮＢ‐ＩｏＴ）規格を実装するＵＥかもしれない。そのようなマシンまたはデバイスの特定の例は、センサ、電力計などの計測器、産業機械、または（例えば冷蔵庫やテレビ受像機などの）家電または個人電化製品、または（時計やフィットネストラッカ等の）個人携帯物ある。他のシナリオでは、ＷＤがその動作状態またはその動作に関連する他の機能を監視および／または報告することができる車両または他の機器を表すことができる。上述のＷＤは無線接続のエンドポイントを表すことができ、この場合、装置は、無線端末と呼ばれることができる。さらに、上述したようなＷＤは、モバイルであってもよく、その場合、モバイルデバイスまたはモバイル端末とも呼ばれてもよい。
【００６２】
図示のように、無線デバイスＱＱ１１０は、アンテナＱＱ１１１、インタフェースＱＱ１１４、処理回路ＱＱ１２０、デバイス可読媒体ＱＱ１３０、ユーザインタフェース機器ＱＱ１３２、補助機器ＱＱ１３４、電源ＱＱ１３６、および電力回路ＱＱ１３７を含む。ＷＤＱＱ１１０は例えばいくつか例を挙げると、ＧＳＭ、ＷＣＤＭＡ、ＬＴＥ、ＮＲ、ＷｉＦｉ、ＷｉＭＡＸ、ＮＢ−ＩｏＴ、またはＢｌｕｅｔｏｏｔｈ無線技術のような、ＷＤＱＱ１１０によってサポートされる異なる無線技術のための図示された構成要素の１つ以上の複数のセットを含むことができる。これらの無線技術は、ＷＤＱＱ１１０内の他の構成要素と同じまたは異なるチップまたはチップの集合に統合され得る。
【００６３】
アンテナＱＱ１１１は、無線信号を送信および／または受信するように構成され、かつ、インタフェースＱＱ１１４に接続された１つまたは複数のアンテナ、またはアンテナアレイを含み得る。いくつかの代替的な実施形態では、アンテナＱＱ１１１がＷＤＱＱ１１０とは別個であってもよく、インタフェースまたはポートを介してＷＤＱＱ１１０に接続可能であってもよい。アンテナＱＱ１１１、インタフェースＱＱ１１４、および／または処理回路ＱＱ１２０は、ＷＤによって実行されるものとして本明細書で説明される任意の送受信動作を実行するように構成され得る。任意の情報、データ、および／または信号が、ネットワークノードおよび／または別のＷＤから受信され得る。いくつかの実施形態では、無線フロントエンド回路および／またはアンテナＱＱ１１１がインタフェースと見なされてもよい。
【００６４】
図示のように、インターフェースＱＱ１１４は、無線フロントエンド回路ＱＱ１１２およびアンテナＱＱ１１１を含む。無線フロントエンド回路ＱＱ１１２は、１つまたは複数のフィルタＱＱ１１８および増幅器ＱＱ１１６を備える。無線フロントエンド回路ＱＱ１１４は、アンテナＱＱ１１１および処理回路ＱＱ１２０に接続され、アンテナＱＱ１１１と処理回路ＱＱ１２０との間で通信される信号を調整するように構成される。無線フロントエンド回路ＱＱ１１２は、アンテナＱＱ１１１に結合されてもよいし、その一部であってもよい。いくつかの実施形態では、ＷＤＱＱ１１０が別個の無線フロントエンド回路ＱＱ１１２を含まなくてもよく、むしろ、処理回路ＱＱ１２０は無線フロントエンド回路を含んでもよく、アンテナＱＱ１１１に接続されてもよい。同様に、いくつかの実施形態では、ＲＦトランシーバ回路ＱＱ１２２のすべてまたはいくつかはインタフェースＱＱ１１４の一部と見なされ得る。無線フロントエンド回路ＱＱ１１２は、無線接続を介して他のネットワークノードまたはＷＤに送出されるデジタルデータを受信することができる。無線フロントエンド回路ＱＱ１１２は、フィルタＱＱ１１８および／または増幅器ＱＱ１１６の組合せを使用して、デジタルデータを適切なチャネルおよび帯域幅パラメータを有する無線信号に変換することができる。次いで、無線信号は、アンテナＱＱ１１１を介して送信され得る。同様に、データを受信するとき、アンテナＱＱ１１１は、無線フロントエンド回路ＱＱ１１２によってデジタルデータに変換される無線信号を収集することができる。デジタルデータは、処理回路ＱＱ１２０に渡されてもよい。他の実施形態では、インタフェースが異なる構成要素および／または構成要素の異なる組合せを含むことができる。
【００６５】
処理回路ＱＱ１２０は、マイクロプロセッサ、コントローラ、マイクロコントローラ、中央処理ユニット、デジタル信号プロセッサ、特定用途向け集積回路、フィールドプログラマブルゲートアレイ、または任意の他の適切なコンピューティングデバイス、リソース、またはハードウェア、ソフトウェア、および／または符号化ロジックの組合せのうちの１つまたは複数の組合せを備えることができ、これらは、単独で、またはデバイス可読媒体ＱＱ１３０、ＷＤＱＱ１１０機能等の他のＷＤＱＱ１１０構成要素と併せてのいずれかで提供するように動作可能である。そのような機能は、本明細書で説明される各種無線特徴、または利益のいずれかを提供することを含むことができる。例えば、処理回路ＱＱ１２０は、デバイス可読媒体ＱＱ１３０または処理回路ＱＱ１２０内のメモリに格納された命令を実行することによって本明細書で開示される機能を提供することができる。
【００６６】
図示のように、処理回路ＱＱ１２０は、ＲＦトランシーバ回路ＱＱ１２２、ベースバンド処理回路ＱＱ１２４、およびアプリケーション処理回路ＱＱ１２６のうちの１つまたは複数を含む。他の実施形態では、処理回路が異なる構成要素および／または構成要素の異なる組合せを含むことができる。いくつかの実施形態では、ＷＤＱＱ１１０の処理回路ＱＱ１２０がＳＯＣを備えることができる。いくつかの実施形態では、ＲＦトランシーバ回路ＱＱ１２２、ベースバンド処理回路ＱＱ１２４、およびアプリケーション処理回路ＱＱ１２６は別個のチップまたはチップの集合上にあってもよい。代替実施形態では、ベースバンド処理回路ＱＱ１２４およびアプリケーション処理回路ＱＱ１２６の一部または全部が１つのチップまたはチップの集合に統合されてもよく、ＲＦトランシーバ回路ＱＱ１２２は別個のチップまたはチップの集合上にあってもよい。さらに別の実施形態では、ＲＦトランシーバ回路ＱＱ１２２およびベースバンド処理回路ＱＱ１２４の一部または全部が同じチップまたはチップの集合上にあってもよく、アプリケーション処理回路ＱＱ１２６は別個のチップまたはチップの集合上にあってもよい。さらに他の代替実施形態では、ＲＦトランシーバ回路ＱＱ１２２、ベースバンド処理回路ＱＱ１２４、およびアプリケーション処理回路ＱＱ１２６の一部または全部を、同じチップまたはチップの集合に統合することができる。いくつかの実施形態では、ＲＦトランシーバ回路ＱＱ１２２がインタフェースＱＱ１１４の一部であってもよい。ＲＦトランシーバ回路ＱＱ１２２は、処理回路ＱＱ１２０のためのＲＦ信号を調整することができる。
【００６７】
特定の実施形態では、ＷＤによって実行されるものとして本明細書で説明される機能の一部またはすべては特定の実施形態ではコンピュータ可読記憶媒体とすることができるデバイス可読媒体ＱＱ１３０上に記憶された命令を実行する処理回路ＱＱ１２０によって提供することができる。代替の実施形態では、機能のいくつかまたはすべてはハードワイヤード方式等で、別個のまたは個別のデバイス可読記憶媒体上に格納された命令を実行することなく、処理回路ＱＱ１２０によって提供され得る。これらの特定の実施形態のいずれにおいても、デバイス可読記憶媒体上に記憶された命令を実行するか否かにかかわらず、処理回路ＱＱ１２０は、説明された機能を実行するように構成され得る。そのような機能性によって提供される利点は処理回路ＱＱ１２０のみ、またはＷＤＱＱ１１０の他の構成要素に限定されず、ＷＤＱＱ１１０全体によって、および／またはエンドユーザおよび無線ネットワーク全体によって享受される。
【００６８】
処理回路ＱＱ１２０は、ＷＤによって実行されるものとして本明細書で説明される任意の判定、計算、または類似の操作（たとえば、ある取得操作）を実行するように構成され得る。処理回路ＱＱ１２０によって実行されるこれらの動作は、例えば、取得された情報を他の情報に変換すること、取得された情報または変換された情報をＷＤＱＱ１１０に格納された情報と比較すること、および／または取得された情報または変換された情報に基づいて１つまたは複数の動作を実行すること、および前記処理の結果として判定を行うことによって、処理回路ＱＱ１２０によって取得された情報を処理することを含み得る。
【００６９】
デバイス可読媒体ＱＱ１３０は、コンピュータプログラム、ソフトウエア、論理や規則やコードやテーブルなどのうちの１つまたは複数を含むアプリケーション、および／または処理回路ＱＱ１２０によって実行可能な他のインストラクションを保持するように動作可能である。デバイス可読媒体ＱＱ１３０は、コンピュータメモリ（例えば、ランダムアクセスメモリ（ＲＡＭ）やリードオンリメモリ（ＲＯＭ））、大容量ストレージ媒体（例えば、ハードディスク）、リムーバブルストレージ媒体（例えば、コンパクトディスク（ＣＤ）やデジタルビデオディスク（ＤＶＤ））、および／または情報やデータおよび／または処理回路ＱＱ１２０によって使用されてもよいインストラクションを保持する任意の他の揮発性または不揮発性、非一時的デバイス可読および／またはコンピュータ実行可能メモリデバイスを含んでもよい。いくつかの実施形態では、処理回路ＱＱ１２０およびデバイス可読媒体ＱＱ１３０が一体化されていると考えることができる。
【００７０】
ユーザインタフェース装置ＱＱ１３２は、人間のユーザがＷＤＱＱ１１０と対話することを可能にするコンポーネントを提供することができる。このような相互作用は、視覚的、聴覚的、触覚的等の多くの形態であり得る。ユーザインタフェース装置ＱＱ１３２は、ユーザに出力を生成し、ユーザがＷＤＱＱ１１０に入力を提供することを可能にするように動作可能であり得る。相互作用のタイプは、ＷＤＱＱ１１０にインストールされたユーザインタフェース装置ＱＱ１３２のタイプに応じて変わり得る。例えば、ＷＤＱＱ１１０がスマートフォンである場合、相互作用はタッチスクリーンを介してもよい；ＷＤＱＱ１１０がスマートメータである場合、相互作用は使用量を提供するスクリーン（例えば、使用されたガロン数）を介してもよいし、音声アラートを提供するスピーカ（例えば、煙が検出された場合）を介してもよい。ユーザインタフェース装置ＱＱ１３２は、入力インタフェース、装置および回路、ならびに出力インタフェース、装置および回路を含み得る。ユーザインタフェース装置ＱＱ１３２は、ＷＤＱＱ１１０への情報の入力を可能にするように構成され、処理回路ＱＱ１２０が入力情報を処理することを可能にするように処理回路ＱＱ１２０に接続される。ユーザインタフェース装置ＱＱ１３２は、例えば、マイクロフォン、近接または他のセンサ、キー／ボタン、タッチディスプレイ、１つまたは複数のカメラ、ＵＳＢポート、または他の入力回路を含むことができる。ユーザインタフェース装置ＱＱ１３２はまた、ＷＤＱＱ１１０からの情報の出力を可能にし、処理回路ＱＱ１２０がＷＤＱＱ１１０から情報を出力することを可能にするように構成される。ユーザインタフェース装置ＱＱ１３２は例えば、スピーカ、ディスプレイ、振動回路、ＵＳＢポート、ヘッドホンインタフェース、または他の出力回路を含み得る。ユーザインタフェース装置ＱＱ１３２の１つまたは複数の入出力インターフェース、デバイス、および回路を使用して、ＷＤＱＱ１１０はエンドユーザおよび／または無線ネットワークと通信することができ、本明細書で説明する機能性からの利益をエンドユーザおよび／または無線ネットワークに与えることができる。
【００７１】
補助装置ＱＱ１３４は、一般にＷＤによって実行されない可能性があるより特定機能を提供するように動作可能である。これは、様々な目的のために測定を行うための専用センサ、有線通信等の追加のタイプの通信のためのインタフェースを含むことができる。補助装置ＱＱ１３４の構成要素の包含およびタイプは、実施形態および／またはシナリオに応じて変わり得る。
【００７２】
電源ＱＱ１３６は、いくつかの実施形態ではバッテリまたはバッテリパックの形態であってもよい。外部電源（例えば、電気コンセント）、光起電力デバイス、またはパワーセル等の他のタイプの電源も使用することができる。ＷＤＱＱ１１０は、電源ＱＱ１３６からの電力を、本明細書に記載または示される任意の機能を実行するために電源ＱＱ１３６からの電力を必要とするＷＤＱＱ１１０の様々な部分に送達するための電力回路ＱＱ１３７をさらに含んでもよい。電力回路ＱＱ１３７は、いくつかの実施形態では電力管理回路を備えることができる。電力回路ＱＱ１３７は追加的にまたは代替的に、外部電源から電力を受け取るように動作可能であってもよく、その場合、ＷＤＱＱ１１０は、入力回路または電力ケーブル等のインタフェースを介して外部電源（電気コンセント等）に接続可能であってもよい。電力回路ＱＱ１３７はまた、特定の実施形態では、外部電源から電源ＱＱ１３６に電力を送達するように動作可能であってもよい。これは、例えば、電源ＱＱ１３６の充電のためであってもよい。電力回路ＱＱ１３７は電力を供給する対象のＷＤＱＱ１１０のそれぞれの構成要素に適した電力にするために、電源ＱＱ１３６からの電力に対して任意のフォーマット、変換、または他の修正を実行することができる。
【００７３】
図ＱＱ２は、本明細書で説明される様々な態様によるＵＥの一実施形態を示す。本明細書で使用されるように、ユーザ装置またはＵＥは必ずしも、関連するデバイスを所有し、および／または操作する人間のユーザという意味でユーザを有するとは限らない。代わりに、ＵＥは人間のユーザへの販売または人間のユーザによる操作が意図されているが、最初は特定の人間のユーザ（例えば、スマートスプリンクラコントローラ）に関連付けられていてもいなくてもよく、または関連付けられていなくてもよいデバイスを表してもよい。あるいはＵＥがエンドユーザへの販売またはエンドユーザによる操作を意図されていないが、ユーザ（例えば、スマート電力メータ）のために関連付けられるか、または操作され得るデバイスを表し得る。ＵＥＱＱ２２００は、ＮＢ−ＩｏＴ  ＵＥ、マシンタイプ通信（ＭＴＣ）ＵＥ、および／または強化ＭＴＣ（ｅＭＴＣ）ＵＥを含む、第３世代パートナーシッププロジェクト（３ＧＰＰ）によって特定される任意のＵＥである可能性がある。図ＱＱ２に例示されているように、ＵＥＱＱ２００は、３ＧＰＰのＧＳＭ、ＵＭＴＳ、ＬＴＥ、および／または５Ｇ規格等、第３世代パートナーシッププロジェクト（３ＧＰＰ）によって公布された１つ以上の通信規格に従って通信するように設定されたＷＤの一例である。前述のように、用語ＷＤおよびＵＥは、交換可能に使用され得る。したがって、図ＱＱ２はＵＥであるが、本明細書で説明される構成要素はＷＤに等しく適用可能であり、その逆も同様である。
【００７４】
図ＱＱ２では、ＵＥＱＱ２００は、入力／出力インターフェースＱＱ２０５、無線周波数（ＲＦ）インタフェースＱＱ２０９、ネットワーク接続インタフェースＱＱ２１１、ランダムアクセスメモリ（ＲＡＭ）ＱＱ２１７を含むメモリＱＱ２１５、読取り専用メモリ（ＲＯＭ）ＱＱ２１９、および記憶媒体ＱＱ２２１等、通信サブシステムＱＱ２３１、電源ＱＱ２３３、および／または任意の他のコンポーネントもしくはそれらの任意の組合せに動作可能に結合された処理回路ＱＱ２０１を含む。記憶媒体ＱＱ２２１は、オペレーティングシステムＱＱ２２３、アプリケーションプログラムＱＱ２２５、およびデータＱＱ２２７を含む。他の実施形態では、記憶媒体ＱＱ２２１が他の同様のタイプの情報を含むことができる。いくつかのＵＥは、図ＱＱ２に示されるコンポーネントのすべて、またはコンポーネントのサブセットのみを利用し得る。コンポーネント間の統合のレベルは、１つのＵＥから別のＵＥへと変化し得る。さらに、いくつかのＵＥは、複数のプロセッサ、メモリ、トランシーバ、送信機、受信機等、コンポーネントの複数のインスタンスを含み得る。
【００７５】
図ＱＱ２では、処理回路ＱＱ２０１がコンピュータインストラクションおよびデータを処理するように構成され得る。処理回路ＱＱ２０１は１つまたは複数のハードウェア実装ステートマシン（例えば、個別論理、ＦＰＧＡ、ＡＳＩＣ等）、適切なファームウェアを伴うプログラマブル論理、１つまたは複数の格納プログラム、マイクロプロセッサまたはデジタル信号プロセッサ（ＤＳＰ）等の汎用プロセッサ、ならびに適切なソフトウェア、または上記の任意の組合せ等、機械可読コンピュータプログラムとしてメモリに格納された機械命令を実行するように動作可能な任意のシーケンシャルステートマシンを実装するように構成され得る。例えば、処理回路ＱＱ２０１は、２つの中央処理装置（ＣＰＵ）を含むことができる。データは、コンピュータによる使用に適した形式の情報であってもよい。
【００７６】
図示の実施形態では、入力／出力インタフェースＱＱ２０５が入力装置、出力デバイス、または入力および出力デバイスに通信インタフェースを提供するように構成することができる。ＵＥＱＱ２００は、入出力インターフェースＱＱ２０５を介して出力デバイスを使用するように構成され得る。出力デバイスは、入力デバイスと同じタイプのインタフェースポートを使用することができる。例えば、ＵＳＢポートは、ＵＥＱＱ２００への入力およびＵＥ３００からの出力を提供するために使用され得る。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであり得る。ＵＥＱＱ２００は、ユーザがＵＥＱＱ２００に情報を取り込むことができるように、入力／出力インタフェースＱＱ２０５を介して入力デバイスを使用するように設定されてもよい。入力デバイスはタッチセンシティブまたはプレゼンスセンシティブディスプレイ、カメラ（例えば、デジタルカメラ、デジタルビデオカメラ、ウェブカメラ等）、マイクロフォン、センサ、マウス、トラックボール、方向パッド、トラックパッド、スクロールホイール、スマートカード等を含むことができる。プレゼンスセンシティブディスプレイは、ユーザからの入力を感知するための容量性または抵抗性タッチセンサを含むことができる。センサは例えば、加速度計、ジャイロスコープ、傾斜センサ、力センサ、磁力計、光学センサ、近接センサ、別の同様のセンサ、またはそれらの任意の組合せとすることができる。例えば、入力デバイスは、加速度計、磁力計、デジタルカメラ、マイクロフォン、および光センサであってもよい。
【００７７】
図ＱＱ２では、ＲＦインタフェースＱＱ２０９が送信機、受信機、およびアンテナ等のＲＦ構成要素に通信インタフェースを提供するように構成され得る。ネットワーク接続インタフェースＱＱ２１１は、ネットワークＱＱ２４３ａへの通信インタフェースを提供するように構成され得る。ネットワークＱＱ２４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せ等の有線および／または無線ネットワークを含むことができる。例えば、ネットワークＱＱ２４３ａは、Ｗｉ−Ｆｉネットワークを構成することができる。ネットワーク接続インタフェースＱＱ２１１は、イーサネット（登録商標）、ＴＣＰ／ＩＰ、ＳＯＮＥＴ、ＡＴＭ等の１つまたは複数の通信プロトコルに従って、通信ネットワークを介して１つまたは複数の他のデバイスと通信するために使用される受信機および送信機インタフェースを含むように構成され得る。ネットワーク接続インタフェースＱＱ２１１は通信ネットワークリンク（例えば、光、電気等）に適した受信機および送信機の機能を実装することができる。送信機機能および受信機機能は回路構成要素、ソフトウェア、またはファームウェアを共有することができ、あるいは、別々に実装することができる。
【００７８】
ＲＡＭＱＱ２１７は、オペレーティングシステム、アプリケーションプログラム、およびデバイスドライバ等のソフトウェアプログラムの実行中にデータまたはコンピュータインストラクションの記憶またはキャッシュを提供するために、バスＱＱ２０２を介して処理回路ＱＱ２０１にインタフェースするように構成することができる。ＲＯＭＱＱ２１９は、コンピュータ命令またはデータを処理回路ＱＱ２０１に提供するように構成することができる。例えば、ＲＯＭＱＱ２１９は、基本入出力（Ｉ／Ｏ）、スタートアップ、または不揮発性メモリに記憶されたキーボードからのキーストロークの受信等の基本システム機能のための不変の低レベルシステムコードまたはデータを記憶するように構成することができる。記憶媒体ＱＱ２２１は、ＲＡＭ、ＲＯＭ、プログラマブルリードオンリメモリ（ＰＲＯＭ）、消去可能プログラマブルリードオンリメモリ（ＥＰＲＯＭ）、電気的消去可能プログラマブルリードオンリメモリ（ＥＥＰＲＯＭ）、磁気ディスク、光ディスク、フロッピー（登録商標）ディスク、ハードディスク、リムーバブルカートリッジ、またはフラッシュドライブ等のメモリを含むように構成され得る。一例では、記憶媒体ＱＱ２２１がオペレーティングシステムＱＱ２２３、ウェブブラウザアプリケーション、ウィジェットまたはガジェットエンジンまたは別のアプリケーション等のアプリケーションプログラムＱＱ２２５、およびデータファイルＱＱ２２７を含むように構成することができる。記憶媒体ＱＱ２２１はＵＥＱＱ２００による使用のために、様々なオペレーティングシステムのうちの任意のもの、またはオペレーティングシステムの組合せを記憶することができる。
【００７９】
記憶媒体ＱＱ２２１は、独立ディスクの冗長アレイ（ＲＡＩＤ）、フロッピー（登録商標）ディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ  ＳＤＲＡＭ、加入者識別モジュールまたは取り外し可能ユーザ識別（ＳＩＭ／ＲＵＩＭ）モジュール等のスマートカードメモリ、他のメモリ、またはそれらの任意の組合せ等、複数の物理駆動ユニットを含むように構成され得る。記憶媒体ＱＱ２２１は、ＵＥＱＱ２００が一時的または非一時的メモリ媒体に記憶されたコンピュータ実行可能インストラクション、アプリケーションプログラム等にアクセスして、データをオフロードしたり、データをアップロードしたりすることを可能にする。通信システムを利用するもの等の製造品は、デバイス可読媒体を備えることができる記憶媒体ＱＱ２２１において有形に具現化することができる。
【００８０】
図ＱＱ２では、処理回路ＱＱ２０１が通信サブシステムＱＱ２３１を使用してネットワークＱＱ２４３ｂと通信するように構成され得る。ネットワークＱＱ２４３ａおよびネットワークＱＱ２４３ｂは、同じネットワークであってもよいし、異なるネットワークであってもよい。通信サブシステムＱＱ２３１は、ネットワークＱＱ２４３ｂと通信するために使用される１つまたは複数のトランシーバを含むように構成され得る。例えば、通信サブシステムＱＱ２３１は、ＩＥＥＥ  ８０２．ＱＱ２、ＣＤＭＡ、ＷＣＤＭＡ、ＧＳＭ、ＬＴＥ、ＵＴＲＡＮ、ＷｉＭａｘ等の１つまたは複数の通信プロトコルに従って、別のＷＤ、ＵＥ、または無線アクセスネットワーク（ＲＡＮ）の基地局等の無線通信が可能な別の装置の１つまたは複数のリモートトランシーバと通信するために使用される１つまたは複数のトランシーバを含むように構成され得る。各トランシーバはＲＡＮリンクに適切な送信機または受信機の機能（例えば、周波数割り当て等）をそれぞれ実装するために、送信機ＱＱ２３３および／または受信機ＱＱ２３５を含み得る。さらに、各トランシーバの送信機ＱＱ２３３および受信機ＱＱ２３５は回路構成要素、ソフトウェア、またはファームウェアを共有することができ、あるいは別々に実装することができる。
【００８１】
図示の実施形態では、通信サブシステムＱＱ２３１の通信機能がデータ通信、音声通信、マルチメディア通信、Ｂｌｕｅｔｏｏｔｈ（登録商標）等の短距離通信、近距離通信、位置を判定するための全地球測位システム（ＧＰＳ）の使用等の位置ベース通信、別の同様の通信機能、またはそれらの任意の組合せを含むことができる。例えば、通信サブシステムＱＱ２３１は、セルラ通信、Ｗｉ−Ｆｉ通信、Ｂｌｕｅｔｏｏｔｈ通信、およびＧＰＳ通信を含むことができる。ネットワークＱＱ２４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せ等の有線および／または無線ネットワークを含むことができる。例えば、ネットワークＱＱ２４３ｂは、携帯電話ネットワーク、Ｗｉ−Ｆｉネットワーク、および／または近場ネットワークであることができる。電源ＱＱ２１３は、ＵＥＱＱ２００の構成要素に交流（ＡＣ）または直流（ＤＣ）電力を供給するように構成され得る。
【００８２】
本明細書で説明される特徴、利点、および／または機能は、ＵＥＱＱ２００のコンポーネントのうちの１つで実装され得るか、またはＵＥＱＱ２００の複数のコンポーネントにわたって分割され得る。さらに、本明細書で説明される特徴、利点、および／または機能は、ハードウェア、ソフトウェア、またはファームウェアの任意の組合せで実装され得る。一例では、通信サブシステムＱＱ２３１が本明細書で説明される構成要素のうちのいずれかを含むように構成され得る。さらに、処理回路ＱＱ２０１は、バスＱＱ２０２を介してそのような構成要素のいずれかと通信するように構成され得る。別の例では、そのような構成要素のいずれも、処理回路ＱＱ２０１によって実行されるときに本明細書で説明される対応する機能を実行する、メモリに格納されたプログラム命令によって表され得る。別の例では、そのような構成要素のいずれかの機能が処理回路ＱＱ２０１と通信サブシステムＱＱ２３１との間で区分され得る。別の例ではそのような構成要素のいずれかの計算集約的でない機能がソフトウェアまたはファームウェアで実装されてもよく、計算集約的な機能はハードウェアで実装されてもよい。
【００８３】
図ＱＱ３は、いくつかの実施形態によって実装される機能を仮想化することができる仮想化環境ＱＱ３００を示す概略ブロック図である。本文脈では、仮想化手段が仮想化ハードウエアプラットフォーム、記憶装置、およびネットワーキングリソースを含むことができる装置またはデバイスの仮想バージョンを作成する。本明細書で使用されるように、仮想化はノード（例えば、仮想化された基地局または仮想化された無線アクセスノード）またはデバイス（例えば、ＵＥ、無線デバイス、または任意の他のタイプの通信デバイス）またはそれらのコンポーネントに適用されることができ、機能の少なくとも一部が１つまたは複数の仮想コンポーネントとして（例えば、１つまたは複数のネットワーク内の１つまたは複数の物理処理ノード上で実行される１つまたは複数のアプリケーション、コンポーネント、機能、仮想マシン、またはコンテナを介して）実装される実装形態に関係する。
【００８４】
いくつかの実施形態では、本明細書で説明される機能のいくつかまたはすべてはハードウェアノードＱＱ３３０のうちの１つまたは複数によってホストされる１つまたは複数の仮想環境ＱＱ３００で実装される１つまたは複数の仮想マシンによって実行される仮想コンポーネントとして実装され得る。さらに、仮想ノードが無線アクセスノードでないか、または無線接続性を必要としない実施形態（例えば、コアネットワークノード）では、ネットワークノードを完全に仮想化することができる。
【００８５】
機能は、本明細書で開示される実施形態のいくつかの特徴、機能、および／または利益のいくつかを実装するように動作可能な１つまたは複数のアプリケーションＱＱ３２０（代替として、ソフトウェアインスタンス、仮想アプライアンス、ネットワーク機能、仮想ノード、仮想ネットワーク機能等と呼ばれ得る）によって実装され得る。アプリケーションＱＱ３２０は、処理回路ＱＱ３６０およびメモリＱＱ３９０を含むハードウェアＱＱ３３０を提供する仮想化環境ＱＱ３００で実行される。メモリＱＱ３９０は、処理回路ＱＱ３６０によって実行可能なインストラクションＱＱ３９５を含み、それによって、アプリケーションＱＱ３２０は、本明細書で開示される特徴、利点、および／または機能のうちの１つまたは複数を提供するように動作可能である。
【００８６】
仮想化環境ＱＱ３００は、市販の既製（ＣＯＴＳ）プロセッサ、専用特定用途向け集積回路（ＡＳＩＣ）、またはデジタルもしくはアナログハードウェア構成要素もしくは専用プロセッサを含む任意の他のタイプの処理回路であってもよい、１つまたは複数のプロセッサまたは処理回路ＱＱ３６０のセットを備える汎用または専用ネットワークハードウェアデバイスＱＱ３３０を備える。各ハードウェアデバイスは、インストラクションＱＱ３９５または処理回路ＱＱ３６０によって実行されるソフトウェアを一時的に格納するための非持続性メモリであり得るメモリＱＱ３９０−１を備え得る。各ハードウェアデバイスは、物理ネットワークインタフェースＱＱ３８０を含む、ネットワークインタフェースカードとしても知られている１つまたは複数のネットワークインタフェースコントローラ（ＮＩＣ）ＱＱ３７０を備えることができる。各ハードウェアデバイスはまた、ソフトウェアＱＱ３９５および／または処理回路ＱＱ３６０によって実行可能なインストラクションをその中に格納した、非一時的な、永続的な、機械可読記憶媒体ＱＱ３９０−２を含むことができる。ソフトウェアＱＱ３９５は、１つまたは複数の仮想化レイヤＱＱ３５０（ハイパーバイザとも呼ばれる）をインスタンス化するためのソフトウェア、仮想マシンＱＱ３４０を実行するためのソフトウェア、ならびに本明細書で説明されるいくつかの実施形態に関連して説明される機能、特徴、および／または利益を実行することを可能にするソフトウェアを含む、任意のタイプのソフトウェアを含むことができる。
【００８７】
仮想マシンＱＱ３４０は仮想処理、仮想メモリ、仮想ネットワーキングまたはインタフェース、および仮想ストレージを含み、対応する仮想化レイヤＱＱ３５０またはハイパーバイザによって実行され得る。仮想アプライアンスＱＱ３２０のインスタンスの異なる実施形態は１つまたは複数の仮想マシンＱＱ３４０上で実装されてもよく、実装は異なる方法で行われてもよい。
【００８８】
動作中、処理回路ＱＱ３６０は、ソフトウェアＱＱ３９５を実行して、仮想マシンモニタ（ＶＭＭ）と呼ばれることもあるハイパーバイザまたは仮想化レイヤＱＱ３５０をインスタンス化する。仮想化レイヤＱＱ３５０は、ネットワークハードウェアのように見える仮想オペレーティングプラットフォームを仮想マシンＱＱ３４０に提示することができる。
【００８９】
図ＱＱ３に示すように、ハードウェアＱＱ３３０は、汎用または特定のコンポーネントを有するスタンドアロンネットワークノードであってもよい。ハードウェアＱＱ３３０は、アンテナＱＱ３２２５を備えることができ、仮想化を介していくつかの機能を実装することができる。あるいは、ハードウェアＱＱ３３０が多くのハードウェアノードが一緒に動作し、とりわけアプリケーションＱＱ３２０のライフサイクル管理を監視する管理および編成（ｏｒｃｈｅｓｔｒａｔｉｏｎ）（ＭＡＮＯ）ＱＱ３１００を介して管理される（例えば、データセンタまたは顧客構内機器（ＣＰＥ）等の）ハードウェアのより大きなクラスタの一部であってもよい。
【００９０】
ハードウェアの仮想化は、いくつかの状況ではネットワーク機能仮想化（ＮＦＶ）と呼ばれる。ＮＦＶは、多くのネットワーク機器タイプを、業界標準の大容量サーバハードウェア、物理スイッチ、およびデータセンタ内に配置することができる物理ストレージ、ならびに顧客構内機器に統合するために使用することができる。
【００９１】
ＮＦＶのコンテキストでは、仮想マシンＱＱ３４０があたかも物理的な仮想化されていないマシン上で実行されているかのようにプログラムを実行する物理マシンのソフトウェア実装であってもよい。仮想マシンＱＱ３４０の各々、およびその仮想マシンを実行するハードウェアＱＱ３３０のその部分は、その仮想マシンに専用のハードウェア、および／またはその仮想マシンによって他の仮想マシンＱＱ３４０と共有されるハードウェアであっても、別個の仮想ネットワーク要素（ＶＮＥ）を形成する。
【００９２】
依然としてＮＦＶのコンテキストでは、仮想ネットワーク機能（ＶＮＦ）がハードウェアネットワーキングインフラストラクチャＱＱ３３０の上で１つまたは複数の仮想マシンＱＱ３４０内で実行され、図ＱＱ３のアプリケーションＱＱ３２０に対応する特定のネットワーク機能を処理する役割を担う。
【００９３】
いくつかの実施形態では、それぞれが１つまたは複数の送信機ＱＱ３２２０および１つまたは複数の受信機ＱＱ３２１０を含む１つまたは複数の無線ユニットＱＱ３２００が１つまたは複数のアンテナＱＱ３２２５に結合され得る。無線ユニットＱＱ３２００は１つまたは複数の適切なネットワークインタフェースを介してハードウェアノードＱＱ３３０と直接通信することができ、仮想コンポーネントと組み合わせて使用されて、無線アクセスノードまたは基地局等の無線機能を仮想ノードに提供することができる。
【００９４】
いくつかの実施形態では、いくつかの信号がハードウェアノードＱＱ３３０と無線ユニットＱＱ３２００との間の通信のために代替的に使用され得る制御システムＱＱ３２３０を使用して実施され得る。
【００９５】
図ＱＱ４を参照すると、ある実施の形態に係る通信システムが示される。図示された通信システムは、無線アクセスネットワークなどのアクセスネットワークＱＱ４１１と、コアネットワークＱＱ４１４と、を備える、３ＧＰＰタイプのセルラネットワークなどの電気通信ネットワークＱＱ４１０を含む。アクセスネットワークＱＱ４１１は、ＮＢ、ｅＮＢ、ｇＮＢ、または他のタイプの無線アクセスポイントなどの複数の基地局ＱＱ４１２ａ、ＱＱ４１２ｂ、ＱＱ４１２ｃを備え、それぞれは対応するカバレッジエリアＱＱ４１３ａ、ＱＱ４１３ｂ、ＱＱ４１３ｃを定義する。各基地局ＱＱ４１２ａ、ＱＱ４１２ｂ、ＱＱ４１２ｃは、有線または無線接続ＱＱ４１５を介してコアネットワークＱＱ４１４に接続可能である。カバレッジ領域ＱＱ４１３ｃに位置する第１ＵＥＱＱ４９１は、対応する基地局ＱＱ４１２ｃに無線接続するか、またはそれによってページングされるように構成される。カバレッジエリアＱＱ４１３ａ内の第２ＵＥＱＱ４９２は、対応する基地局ＱＱ４１２ａに無線で接続可能である。この例では複数のＵＥＱＱ４９１、ＱＱ４９２が示されているが、開示された実施形態は単一のＵＥがカバレッジエリア内にある状況、または単一のＵＥが対応する基地局ＱＱ４１２に接続している状況にも等しく適用可能である。
【００９６】
通信ネットワークＱＱ４１０はそれ自体がホストコンピュータＱＱ４３０に接続され、それはスタンドアロンサーバ、クラウド実装サーバ、分散サーバのハードウェアおよび／またはソフトウェア、またはサーバファーム内の処理資源として具体化され得る。ホストコンピュータＱＱ４３０は、サービスプロバイダの所有権または制御下にあってもよく、またはサービスプロバイダによって、またはサービスプロバイダを代理して操作されてもよい。電気通信ネットワークＱＱ４１０とホストコンピュータＱＱ４３０との間の接続ＱＱ４２１、ＱＱ４２２は、コアネットワークＱＱ４１４からホストコンピュータＱＱ４３０に直接延在することができ、または任意選択の中間ネットワークＱＱ４２０を介して進むことができる。中間ネットワークＱＱ４２０は公衆ネットワーク、プライベートネットワーク、またはホストネットワークのうちの１つ、または２つ以上の組み合わせとすることができ、中間ネットワークＱＱ４２０はもしあれば、バックボーンネットワークまたはインターネットとすることができ、特に、中間ネットワークＱＱ４２０は、２つ以上のサブネットワーク（図示せず）を含むことができる。
【００９７】
図ＱＱ４の通信システム全体は、接続されたＵＥＱＱ４９１、ＱＱ４９２とホストコンピュータＱＱ４３０との間の接続を可能にする。接続は、オーバザトップ（ＯＴＴ）接続ＱＱ４５０として説明することができる。ホストコンピュータＱＱ４３０および接続されたＵＥＱＱ４９１、ＱＱ４９２は、アクセスネットワークＱＱ４１１、コアネットワークＱＱ４１４、いずれかの中間ネットワークＱＱ４２０、および可能なさらなるインフラストラクチャ（図示せず）を媒介として使用して、ＯＴＴ接続ＱＱ４５０を介してデータおよび／またはシグナリングを通信するように構成される。ＯＴＴ接続ＱＱ４５０は、ＯＴＴ接続ＱＱ４５０が通過する参加通信デバイスがアップリンク通信およびダウンリンク通信のルーティングを知らないという意味で、トランスペアレントであり得る。例えば、基地局ＱＱ４１２は、接続されたＵＥＱＱ４９１に転送される（例えば、ハンドオーバされる）、ホストコンピュータＱＱ４３０から発信されるデータを伴う着信ダウンリンク通信の過去のルーティングについて通知されなくてもよく、または通知される必要がなくてもよい。同様に、基地局ＱＱ４１２は、ＵＥＱＱ４９１からホストコンピュータＱＱ４３０に向けて発せられる発信アップリンク通信の将来のルーティングを認識する必要はない。
【００９８】
先の段落で論じたＵＥ、基地局、およびホストコンピュータの、一実施形態による、例示的な実装形態を、図ＱＱ５を参照して次に説明する。通信システムＱＱ５００では、ホストコンピュータＱＱ５１０は、通信システムＱＱ５００の異なる通信デバイスのインタフェースとの有線または無線接続をセットアップおよび維持するように構成された通信インタフェースＱＱ５１６を含むハードウェアＱＱ５１５を備える。ホストコンピュータＱＱ５１０は、ストレージおよび／または処理能力を有することができる処理回路ＱＱ５１８をさらに備える。特に、処理回路ＱＱ５１８は、１つまたは複数のプログラマブルプロセッサ、特定用途向け集積回路、フィールドプログラマブルゲートアレイ、またはインストラクションを実行するように適合されたこれらの組合せ（図示せず）を備えることができる。ホストコンピュータＱＱ５１０は、ホストコンピュータＱＱ５１０に格納されるか、またはホストコンピュータＱＱ５１０によってアクセス可能であり、処理回路ＱＱ５１８によって実行可能なソフトウェアＱＱ５１１をさらに備える。ソフトウェアＱＱ５１１は、ホストアプリケーションＱＱ５１２を含む。ホストアプリケーションＱＱ５１２は、ＵＥＱＱ５３０およびホストコンピュータＱＱ５１０で終端するＯＴＴ接続ＱＱ５５０を介して接続するＵＥＱＱ５３０などのリモートユーザにサービスを提供するように動作可能であってもよい。リモートユーザにサービスを提供する際に、ホストアプリケーションＱＱ５１２は、ＯＴＴ接続ＱＱ５５０を使用して送信されるユーザデータを提供することができる。
【００９９】
通信システムＱＱ５００は、通信システム内に設けられ、ホストコンピュータＱＱ５１０およびＵＥＱＱ５３０と通信することを可能にするハードウェアＱＱ５２５を備える基地局ＱＱ５２０をさらに含む。ハードウェアＱＱ５２５は、通信システムＱＱ５００の異なる通信デバイスのインタフェースとの有線または無線接続をセットアップおよび維持するための通信インタフェースＱＱ５２６と、基地局ＱＱ５２０によって担当されるカバレッジエリア（図６には示されていない）内に位置するＵＥＱＱ５３０との少なくとも無線接続ＱＱ５７０をセットアップおよび維持するための無線インタフェースＱＱ５２７とを含み得る。通信インタフェースＱＱ５２６は、ホストコンピュータＱＱ５１０への接続ＱＱ５６０を容易にするように構成することができる。接続ＱＱ５６０は、直接的であってもよく、電気通信システムのコアネットワーク（図ＱＱ５には示されていない）を通過してもよく、および／または電気通信システムの外部の１つ以上の中間ネットワークを通過してもよい。図示の実施形態では、基地局ＱＱ５２０のハードウェアＱＱ５２５はさらに、インストラクションを実行するように構成された１つ以上のプログラマブルプロセッサ、特定用途向け集積回路、フィールドプログラマブルゲートアレイまたはこれらの組み合わせ（図示せず）を含んでもよい処理回路ＱＱ５２８をさらに含む。基地局ＱＱ５２０はさらに、内部に格納された、または外部接続を介してアクセス可能なソフトウェアＱＱ５２１を有する。
【０１００】
通信システムＱＱ５００は、既に参照したＵＥＱＱ５３０をさらに含む。そのハードウェアＱＱ５３５は、ＵＥＱＱ５３０が現在位置するカバレッジエリアを担当する基地局との無線接続ＱＱ５７０をセットアップし、維持するように構成された無線インタフェースＱＱ５３７を含み得る。ＵＥＱＱ５３０のハードウェアＱＱ５３５はさらに、インストラクションを実行するように構成された１つ以上のプログラマブルプロセッサ、特定用途向け集積回路、フィールドプログラマブルゲートアレイまたはこれらの組み合わせ（図示せず）を含んでもよい処理回路ＱＱ５３８をさらに含む。ＵＥＱＱ５３０は、ＵＥＱＱ５３０に格納されるか、またはＵＥＱＱ５３０によってアクセス可能であり、処理回路ＱＱ５３８によって実行可能なソフトウェアＱＱ５３１をさらに備える。ソフトウェアＱＱ５３１は、クライアントアプリケーションＱＱ５３２を含む。クライアントアプリケーションＱＱ５３２は、ホストコンピュータＱＱ５１０の支援により、ＵＥＱＱ５３０を介して人間または非人間のユーザにサービスを提供するように動作可能であってもよい。ホストコンピュータＱＱ５１０では、実行中のホストアプリケーションＱＱ５１２は、ＵＥＱＱ５３０およびホストコンピュータＱＱ５１０で終端するＯＴＴ接続ＱＱ５５０を介して実行中のクライアントアプリケーションＱＱ５３２と通信することができる。ユーザにサービスを提供する際に、クライアントアプリケーションＱＱ５３２はホストアプリケーションＱＱ５１２から要求データを受信し、要求データに応答してユーザデータを提供することができる。ＯＴＴ接続ＱＱ５５０は、要求データとユーザデータの両方を転送することができる。クライアントアプリケーションＱＱ５３２は、ユーザと対話して、それが提供するユーザデータを生成することができる。
【０１０１】
図ＱＱ５に示されるホストコンピュータＱＱ５１０、基地局ＱＱ５２０、およびＵＥＱＱ５３０は、それぞれ、図ＱＱ４の、ホストコンピュータＱＱ４３０、基地局ＱＱ４１２ａ、ＱＱ４１２ｂ、ＱＱ４１２ｃのうちの１つ、およびＵＥＱＱ４９１、ＱＱ４９２のうちの１つと同一であり得ることに留意されたい。すなわち、これらのエンティティの内部動作は図ＱＱ５に示されるようなものであってもよく、独立して、周囲のネットワークトポロジは図ＱＱ４のものであってもよい。
【０１０２】
図ＱＱ５ではＯＴＴ接続ＱＱ５５０を抽象的に描くことで、ホストコンピュータＱＱ５１０とＵＥＱＱ５３０との間の基地局ＱＱ５２０を介した通信を説明しており、これはいかなる中間デバイスも明示的に参照しておりおらず、これらのデバイスを介したメッセージの正確なルーティングも示していない。ネットワークインフラストラクチャはＵＥＱＱ５３０から、またはホストコンピュータＱＱ５１０を操作するサービスプロバイダから、またはその両方から隠すように構成され得るルーティングを判定し得る。ＯＴＴ接続ＱＱ５５０がアクティブである間、ネットワークインフラストラクチャは（例えば、負荷分散の考慮またはネットワークの再構成に基づいて）ルーティングを動的に変更する判定をさらに行うことができる。
【０１０３】
ＵＥＱＱ５３０と基地局ＱＱ５２０との間の無線接続ＱＱ５７０は、本開示全体にわたって説明される実施形態の教示に従う。様々な実施形態のうちの１つまたは複数は、無線接続ＱＱ５７０が最後のセグメントを形成するＯＴＴ接続ＱＱ５５０を使用して、ＵＥＱＱ５３０に提供されるＯＴＴサービスの性能を改善する。より正確には、これらの実施形態の教示は、ＡＭＦがＵＥによって送信されたＳＭメッセージをＳＭＦに転送することに失敗したときに、ＵＥによって送信されたＳＭメッセージ（例えば、５ＧＳＭメッセージ）の処理を改善する。具体的には、これらの実施形態の教示により、ＡＭＦは、ＳＭメッセージを含むステータスメッセージ（５ＧＭＭステータスメッセージ）を生成し、ステータスメッセージをＵＥに送信することによって、ＳＭメッセージをＳＭＦに転送することの失敗に関してＵＥに通知することが可能になる。ＵＥは、ステータスメッセージを受信すると、ＡＭＦがＳＭメッセージの転送に失敗したと判定し、それによって、ＵＥが同じＳＭメッセージをＡＭＦに送信する（これは同じ失敗をもたらすことになる）ことを妨げる。
【０１０４】
１つまたは複数の実施形態が改善するデータレート、待ち時間、および他の要因を監視する目的で、測定手順を提供することができる。さらに、測定結果の変動に応答して、ホストコンピュータＱＱ５１０とＵＥＱＱ５３０との間のＯＴＴ接続ＱＱ５５０を再構成するためのオプションのネットワーク機能があってもよい。測定手順および／またはＯＴＴ接続ＱＱ５５０を再構成するためのネットワーク機能は、ホストコンピュータＱＱ５１０のソフトウェアＱＱ５１１およびハードウエアＱＱ５１５、またはＵＥＱＱ５３０のソフトウェアＱＱ５３１およびハードウエアＱＱ５３５、またはその両方において実装され得る。実施形態では、センサ（図示せず）は、ＯＴＴ接続ＱＱ５５０が通過する通信デバイスに配備されるか、またはそれに関連して配備されてもよく、センサは上で例示された監視量の値を供給することによって、または他の物理量の値を供給することによって、測定手順に参加することができ、ソフトウェアＱＱ５１１、ＱＱ５３１は他の物理量から監視量を計算または推定することができる。ＯＴＴ接続ＱＱ５５０の再構成はメッセージフォーマット、再送信設定、好ましいルーティングなどを含むことができ、再構成は、基地局ＱＱ５２０に影響を及ぼす必要はなく、基地局ＱＱ５２０には知られていないか、または知覚できないことがある。このような手順および機能は当技術分野で公知であり、実装可能である。ある実施形態では、測定は、スループット、伝搬時間、待ち時間などのホストコンピュータＱＱ５１０の測定を容易にする独自のＵＥシグナリングを含むことができる。測定は、ソフトウェアＱＱ５１１およびＱＱ５３１が伝搬時間、エラーなどを監視しながら、ＯＴＴ接続ＱＱ５５０を使用して、メッセージ、特に空または「ダミー」メッセージ、が送信されるようにすることによって実施することができる。
【０１０５】
図ＱＱ６は、一実施形態による、通信システムにおいて実施される方法を示すフローチャートである。通信システムは、ホストコンピュータ、基地局、およびＵＥを含み、これらは図ＱＱ４および図ＱＱ５を参照して説明したものであってもよい。本開示を簡単にするために、図ＱＱ６に対する図面参照のみがこのセクションに含まれる。ステップＱＱ６１０において、ホストコンピュータはユーザデータを提供する。ステップＱＱ６１０の（任意選択であってもよい）サブステップＱＱ６１１において、ホストコンピュータは、ホストアプリケーションを実行することによってユーザデータを提供する。ステップＱＱ６２０において、ホストコンピュータは、ＵＥに対するユーザデータを搬送する送信を開始する。（任意選択の）ステップＱＱ６３０において、基地局は、本開示全体にわたって説明される実施形態の教示に従って、ホストコンピュータが開始した送信において搬送されたユーザデータをＵＥに送信する。（任意選択の）ステップＱＱ６４０において、ＵＥは、ホストコンピュータによって実行されるホストアプリケーションに関連するクライアントアプリケーションを実行する。
【０１０６】
図ＱＱ７は、一実施形態による、通信システムにおいて実施される方法を示すフローチャートである。通信システムは、ホストコンピュータ、基地局、およびＵＥを含み、これらは図ＱＱ４および図ＱＱ５を参照して説明したものであってもよい。本開示を簡単にするために、図ＱＱ７に対する図面参照のみがこのセクションに含まれる。本方法のステップＱＱ７１０において、ホストコンピュータはユーザデータを提供する。任意選択のサブステップ（図示せず）では、ホストコンピュータがホストアプリケーションを実行することによってユーザデータを提供する。ステップＱＱ７２０において、ホストコンピュータは、ＵＥに対するユーザデータを搬送する送信を開始する。送信は、本開示全体にわたって説明される実施形態の教示に従って、基地局を介して渡され得る。（任意選択の）ステップＱＱ７３０において、ＵＥは、送信において搬送されたユーザデータを受信する。
【０１０７】
図ＱＱ８は、一実施形態による、通信システムにおいて実施される方法を示すフローチャートである。通信システムは、ホストコンピュータ、基地局、およびＵＥを含み、これらは図ＱＱ４および図ＱＱ５を参照して説明したものであってもよい。本開示を簡単にするために、図ＱＱ８に対する図面参照のみがこのセクションに含まれる。（任意選択の）ステップＱＱ８１０において、ＵＥは、ホストコンピュータによって提供される入力データを受信する。追加的にまたは代替的に、ステップＱＱ８２０において、ＵＥは、ユーザデータを提供する。ステップＱＱ８２０の（任意選択であってもよい）サブステップＱＱ８２１において、ＵＥは、クライアントアプリケーションを実行することによってユーザデータを提供する。ステップＱＱ８１０の（任意選択であってもよい）サブステップＱＱ８１１において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、（任意選択であってもよい）サブステップＱＱ８３０において、ホストコンピュータへのユーザデータの送信を開始する。本方法のステップＱＱ８４０において、ホストコンピュータは、本開示全体にわたって説明される実施形態の教示に従って、ＵＥから送信されたユーザデータを受信する。
【０１０８】
図ＱＱ９は、一実施形態による、通信システムにおいて実施される方法を示すフローチャートである。通信システムは、ホストコンピュータ、基地局、およびＵＥを含み、これらは図ＱＱ４および図ＱＱ５を参照して説明したものであってもよい。本開示を簡単にするために、図ＱＱ９に対する図面参照のみがこのセクションに含まれる。（任意選択の）ステップＱＱ９１０で、本開示全体にわたって説明される実施形態の教示に従って、基地局はＵＥからユーザデータを受信する。（任意選択の）ステップＱＱ９２０で、基地局は、受信したユーザデータのホストコンピュータへの送信を開始する。（任意選択の）ステップＱＱ９３０で、ホストコンピュータは、基地局によって開始された送信において搬送されたユーザデータを受信する。
【０１０９】
本明細書で開示される任意の適切なステップ、方法、特徴、機能、または利益は、１つまたは複数の仮想装置の１つまたは複数の機能ユニットまたはモジュールを介して実行され得る。各仮想装置は、いくつかのこれらの機能ユニットを備えることができる。これらの機能ユニットは、１つまたは複数のマイクロプロセッサまたはマイクロコントローラを含むことができる処理回路、ならびにデジタル信号プロセッサ（ＤＳＰ）、専用デジタル論理などを含むことができる他のデジタルハードウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つまたは複数のタイプのメモリを含むことができるメモリ、に格納されたプログラムコードを実行するように構成することができる。メモリに格納されたプログラムコードは、１つまたは複数の電気通信および／またはデータ通信プロトコルを実行するためのプログラムインストラクション、ならびに本明細書で説明される技法のうちの１つまたは複数を実行するためのインストラクションを含む。幾つかの実装形態では、処理回路は、それぞれの機能ユニットに、本開示の１つ以上の実施の形態に従って対応する機能を行わせるために使用されてもよい。
【０１１０】
図ＶＶ１は、ある実施の形態に係る、無線デバイスによって行われる方法ＶＶ１００を示す。方法ＶＶ１００はステップＶＶ１０２で始まってもよく、そこでは、無線デバイスは、ＳＭメッセージ（例えば、５ＧＳＭメッセージ）を含むトランスポートメッセージ（例えば、ＵＬ  ＳＭメッセージトランスポートメッセージ）を、アクセスおよびモビリティ機能（ＡＭＦ）に送信する。ある実施の形態では、トランスポートメッセージはさらに、プロトコルデータユニット（ＰＤＵ）セッション識別子（ＩＤ）、データネットワークネーム（ＤＮＮ）、および要求タイプインジケーションのうちの少なくともひとつ以上を含む。ある実施の形態では、ＳＭメッセージは、ＳＭメッセージに関連付けられたセッション管理トランザクション（例えば、５ＧＳＭトランザクション）を特定するプロシージャトランザクション識別子（ＰＴＩ）インジケーションを含む。
【０１１１】
ステップＶＶ１０４で、無線デバイスは、ＡＭＦによって送信されたステータスメッセージ（例えば、５ＧＭＭステータスメッセージ）を受信し、ステータスメッセージがトランスポートメッセージの少なくとも一部とＳＭメッセージのＳＭＦへの不達のインジケーションとを含む。そのような実施の形態では、トランスポートメッセージの一部はＳＭメッセージを含む。ある実施の形態では、不達のインジケーションはＳＭメッセージをＳＭＦに送達することに失敗した理由を含む。
【０１１２】
ある実施の形態では、ＳＭメッセージは以下のうちのひとつであってもよい：（ｉ）セッション確立要求メッセージ（例えば、ＰＤＵセッション確立要求メッセージ）、（ｉｉ）セッション変更要求メッセージ（例えば、ＰＤＵセッション変更要求メッセージ）、および（ｉｉｉ）セッション解放要求メッセージ（例えば、ＰＤＵセッション解放要求メッセージ）。そのような実施の形態では、方法ＶＶ１００はさらに、無線デバイスが、不達のインジケーションを受信したことの結果として、タイマ（例えば、Ｔｘ、Ｔｋ、Ｔｚ）を停止することを含んでもよい。そのような実施の形態では、方法ＶＶ１００はさらに、ＳＭメッセージに関連付けられたセッションが以下のいずれかであると判定することを含んでもよい：（ｉ）確立されていない、（ｉｉ）変更されていない、または（ｉｉｉ）解放されていない。
【０１１３】
図ＶＶ２は、ある実施の形態に係る、アクセスおよびモビリティ管理機能（ＡＭＦ）によって行われる方法ＶＶ２００を示す。方法ＶＶ２００はステップＶＶ２０２で始まってもよく、そこでは、ＡＭＦは、ＳＭメッセージ（例えば、５ＧＳＭメッセージ）を含む、無線デバイスによって送信されたトランスポートメッセージ（例えば、ＵＬ  ＳＭメッセージトランスポートメッセージ）を受信する。ある実施の形態では、ＳＭメッセージは、ＳＭメッセージに関連付けられたセッション管理トランザクション（例えば、５ＧＳＭトランザクション）を特定するプロシージャトランザクション識別子（ＰＴＩ）インジケーションを含む。ある実施の形態では、トランスポートメッセージはさらに、プロトコルデータユニット（ＰＤＵ）セッション識別子（ＩＤ）、データネットワークネーム（ＤＮＮ）、および要求タイプインジケーションのうちの少なくともひとつ以上を含む。
【０１１４】
ステップＶＶ２０４において、ＡＭＦは、ＳＭメッセージがＳＭＦに転送可能か否かを、トランスポートメッセージに基づいて、判定する。
【０１１５】
ある実施の形態では、ＳＭメッセージがＳＭＦに転送可能か否かを、トランスポートメッセージに基づいて、判定するステップＶＶ２０４は、ＡＭＦがＰＤＵセッション識別子に対するＰＤＵセッションルーティングコンテクストを有しているか否かをＡＭＦが判定することであって、要求タイプインジケーションは、ＳＭメッセージが初期要求に関連付けられていることを示す、判定することと、ＡＭＦがＰＤＵセッション識別子に対するＰＤＵセッションルーティングコンテクストを有していないとの判定の結果として、ＳＭＦはＳＭメッセージに対して選択不可能であるとＡＭＦが判定することと、を含んでもよい。
【０１１６】
ある実施の形態では、ＳＭメッセージがＳＭＦに転送可能か否かを、トランスポートメッセージに基づいて、判定するステップＶＶ２０４は、ＡＭＦがＰＤＵセッション識別子に対するＰＤＵセッションルーティングコンテクストを有しているか否かをＡＭＦが判定することであって、要求タイプインジケーションは、ＳＭメッセージが既存のＰＤＵセッションに関連付けられていることを示す、判定することと、無線デバイスのサブスクリプションコンテクストを、統合データ管理（ＵＤＭ）からＡＭＦが取得することであって、サブスクリプションコンテクストが少なくともひとつ以上のＳＭＦ識別子（ＩＤ）を有する、取得することと、（ｉ）ＡＭＦがＰＤＵセッション識別子に対するＰＤＵセッションルーティングコンテクストを有していない、および（ｉｉ）少なくともひとつ以上のＳＭＦ  ＩＤがＤＮＮに関連付けられていない、という判定の結果として、ＳＭＦはＳＭメッセージに対して選択不可能であるとＡＭＦが判定することと、を含む。
【０１１７】
ある実施の形態では、ＳＭメッセージがＳＭＦに転送可能か否かを、トランスポートメッセージに基づいて、判定するステップＶＶ２０４は、ＡＭＦがＰＤＵセッション識別子に対するＰＤＵセッションルーティングコンテクストを有しているか否かをＡＭＦが判定することであって、要求タイプインジケーションは、ＳＭメッセージが既存のＰＤＵセッションに関連付けられていること、およびＤＮＮがトランスポートメッセージに含まれていないこと、を示す、判定することと、無線デバイスのサブスクリプションコンテクストを、統合データ管理（ＵＤＭ）からＡＭＦが取得することであって、サブスクリプションコンテクストが少なくともひとつ以上のＳＭＦ識別子（ＩＤ）を有する、取得することと、（ｉ）ＡＭＦがＰＤＵセッション識別子に対するＰＤＵセッションルーティングコンテクストを有していない、および（ｉｉ）少なくともひとつ以上のＳＭＦ  ＩＤがデフォルトＤＮＮに関連付けられていない、という判定の結果として、ＳＭＦはＳＭメッセージに対して選択不可能であるとＡＭＦが判定することと、を含む。
【０１１８】
ある実施の形態では、ＳＭメッセージがＳＭＦに転送可能か否かを、トランスポートメッセージに基づいて、判定するステップＶＶ２０４は、ＡＭＦがＰＤＵセッション識別子に対するＰＤＵセッションルーティングコンテクストを有しているか否かをＡＭＦが判定することであって、要求タイプインジケーションがトランスポートメッセージに含まれていない、判定することと、ＡＭＦがＰＤＵセッション識別子に対するＰＤＵセッションルーティングコンテクストを有していないとの判定の結果として、ＳＭＦはＳＭメッセージに対して選択不可能であるとＡＭＦが判定することと、を含んでもよい。
【０１１９】
ステップＶＶ２０６において、ＳＭメッセージがＳＭＦに転送不可であるとの判定の結果として、ＡＭＦは、トランスポートメッセージの少なくとも一部とＳＭメッセージのＳＭＦへの不達のインジケーションとを含むステータスメッセージ（例えば、５ＧＭＭステータスメッセージ）を生成する。ある実施の形態では、不達のインジケーションはＳＭメッセージをＳＭＦに送達することに失敗した理由を含む。ある実施の形態では、トランスポートメッセージの一部はＳＭメッセージを含む。
【０１２０】
ステップＶＶ２０８において、ＡＭＦはステータスメッセージを無線デバイスに送信する。
【０１２１】
図ＷＷ１は、無線ネットワーク（例えば、図ＱＱ１に示される無線ネットワーク）における装置ＷＷ１００の概略ブロック図を示す。この装置は、無線デバイスまたはネットワークノード（例えば、図ＱＱ１に示す無線デバイスＱＱ１１０またはネットワークノードＱＱ１６０）内に実装することができる。装置ＷＷ１００は、図ＶＶ１を参照して説明された例示的な方法、および場合によっては本明細書で開示された任意の他のプロセスまたは方法、を実行するように動作可能である。図ＶＶ１の方法は、必ずしも装置ＷＷ１００によってのみ実行されるわけではないことも理解されるべきである。本方法の少なくともいくつかの動作は、１つまたは複数の他のエンティティによって実行することができる。
【０１２２】
仮想装置ＷＷ１００は、１つまたは複数のマイクロプロセッサまたはマイクロコントローラを含むことができる処理回路、ならびにデジタル信号プロセッサ（ＤＳＰ）、専用デジタル論理などを含むことができる他のデジタルハードウェアを備えてもよい。処理回路は、読み出し専用メモリ（ＲＯＭ）、ランダムアクセスメモリ、キャッシュメモリ、フラッシュメモリデバイス、光記憶デバイスなどの１つまたは複数のタイプのメモリを含むことができるメモリ、に格納されたプログラムコードを実行するように構成することができる。いくつかの実施の形態では、メモリに格納されたプログラムコードは、１つまたは複数の電気通信および／またはデータ通信プロトコルを実行するためのプログラムインストラクション、ならびに本明細書で説明される技法のうちの１つまたは複数を実行するためのインストラクションを含む。ある実装では、処理回路は、送信ユニットＷＷ１０２に、ＳＭメッセージ（例えば、５ＧＳＭメッセージ）を含むトランスポートメッセージ（例えば、ＵＬ  ＳＭメッセージトランスポートメッセージ）を、アクセスおよびモビリティ機能（ＡＭＦ）に送信させ、受信ユニットＷＷ１０４に、ＡＭＦによって送信されたステータスメッセージ（例えば、５ＧＭＭステータスメッセージ）を受信させ、ここで、ステータスメッセージがトランスポートメッセージの少なくとも一部とＳＭメッセージのＳＭＦへの不達のインジケーションとを含み、装置ＷＷ１００の任意の他の適切なユニットに、本開示のひとつ以上の実施の形態にしたがう対応する機能を実行させるために用いられてもよい。
【０１２３】
図ＷＷ１に示されるとおり、装置ＷＷ１００は、ＳＭメッセージ（例えば、５ＧＳＭメッセージ）を含むトランスポートメッセージ（例えば、ＵＬ  ＳＭメッセージトランスポートメッセージ）を、アクセスおよびモビリティ機能（ＡＭＦ）に送信するよう構成された送信ユニットＷＷ１０２と、ＡＭＦによって送信されたステータスメッセージ（例えば、５ＧＭＭステータスメッセージ）を受信するよう構成された受信ユニットＷＷ１０４であって、ステータスメッセージがトランスポートメッセージの少なくとも一部とＳＭメッセージのＳＭＦへの不達のインジケーションとを含む、受信ユニットと、を含む。
【０１２４】
図ＷＷ２は、無線ネットワーク（例えば、図ＱＱ１に示される無線ネットワーク）における装置ＷＷ２００の概略ブロック図を示す。この装置は、無線デバイスまたはネットワークノード（例えば、図ＱＱ１に示す無線デバイスＱＱ１１０またはネットワークノードＱＱ１６０）内に実装することができる。装置ＷＷ２００は、図ＶＶ２を参照して説明された例示的な方法、および場合によっては本明細書で開示された任意の他のプロセスまたは方法、を実行するように動作可能である。図ＶＶ２の方法は、必ずしも装置ＷＷ２００によってのみ実行されるわけではないことも理解されるべきである。本方法の少なくともいくつかの動作は、１つまたは複数の他のエンティティによって実行することができる。
【０１２５】
仮想装置ＷＷ２００は、１つまたは複数のマイクロプロセッサまたはマイクロコントローラを含むことができる処理回路、ならびにデジタル信号プロセッサ（ＤＳＰ）、専用デジタル論理などを含むことができる他のデジタルハードウェアを備えてもよい。処理回路は、読み出し専用メモリ（ＲＯＭ）、ランダムアクセスメモリ、キャッシュメモリ、フラッシュメモリデバイス、光記憶デバイスなどの１つまたは複数のタイプのメモリを含むことができるメモリ、に格納されたプログラムコードを実行するように構成することができる。いくつかの実施の形態では、メモリに格納されたプログラムコードは、１つまたは複数の電気通信および／またはデータ通信プロトコルを実行するためのプログラムインストラクション、ならびに本明細書で説明される技法のうちの１つまたは複数を実行するためのインストラクションを含む。ある実装では、処理回路は、受信ユニットＷＷ２０２に、ＳＭメッセージ（例えば、５ＧＳＭメッセージ）を含む、無線デバイスによって送信されたトランスポートメッセージ（例えば、ＵＬ  ＳＭメッセージトランスポートメッセージ）を受信させ、判定ユニットＷＷ２０４に、ＳＭメッセージがＳＭＦに転送可能か否かを、トランスポートメッセージに基づいて、判定させ、生成ユニットＷＷ２０６に、ＳＭメッセージがＳＭＦに転送不可であるとの判定の結果として、トランスポートメッセージの少なくとも一部とＳＭメッセージのＳＭＦへの不達のインジケーションとを含むステータスメッセージ（例えば、５ＧＭＭステータスメッセージ）を生成させ、送信ユニットＷＷ２０８に、ステータスメッセージを無線デバイスに送信させ、装置ＷＷ２００の任意の他の適切なユニットに、本開示のひとつ以上の実施の形態にしたがう対応する機能を実行させるために用いられてもよい。
【０１２６】
図ＷＷ２に示されるように、装置ＷＷ２００は、無線デバイスによって送信されたトランスポートメッセージ（例えば、ＵＬ  ＳＭメッセージトランスポートメッセージ）を受信するよう構成された受信ユニットＷＷ２０２であって、トランスポートメッセージがＳＭメッセージ（例えば、５ＧＳＭメッセージ）を含む受信ユニットと、ＳＭメッセージがＳＭＦに転送可能か否かを、トランスポートメッセージに基づいて、判定するよう構成された判定ユニットＷＷ２０４と、ＳＭメッセージがＳＭＦに転送不可であるとの判定の結果として、トランスポートメッセージの少なくとも一部とＳＭメッセージのＳＭＦへの不達のインジケーションとを含むステータスメッセージ（例えば、５ＧＭＭステータスメッセージ）を生成するよう構成された生成ユニットＷＷ２０６と、ステータスメッセージを無線デバイスに送信するよう構成された送信ユニットＷＷ２０８と、を含む。
【０１２７】
ユニットという用語は、エレクトロニクス、電気デバイス、および／または電子デバイスの分野における通常の意味を有することができ、たとえば、本明細書で説明されるような、電気および／または電子回路、デバイス、モジュール、プロセッサ、メモリ、ロジックソリッドステートおよび／またはディスクリートデバイス、ならびに、それぞれのタスク、手順、計算、出力、および／または表示機能などを実行するためのコンピュータプログラムまたはインストラクションを含むことができる。
実施の形態
グループＡの実施の形態−ＵＥ
Ａ１．
無線デバイスで実行される方法であって、
ＳＭメッセージ（例えば、５ＧＳＭメッセージ）を含むトランスポートメッセージ（例えば、ＵＬ  ＳＭメッセージトランスポートメッセージ）を、アクセスおよびモビリティ機能（ＡＭＦ）に送信することと、
ＡＭＦによって送信されたステータスメッセージ（例えば、５ＧＭＭステータスメッセージ）を受信することであって、ステータスメッセージがトランスポートメッセージの少なくとも一部とＳＭメッセージのＳＭＦへの不達のインジケーションとを含む、受信することと、を含む方法。
Ａ２．
前記トランスポートメッセージの前記一部が前記ＳＭメッセージを含むＡ１に記載の方法。
Ａ３．
前記トランスポートメッセージはさらに、プロトコルデータユニット（ＰＤＵ）セッション識別子（ＩＤ）、データネットワークネーム（ＤＮＮ）および要求タイプインジケーションのうちの少なくともひとつ以上を含むＡ１またはＡ２に記載の方法。
Ａ４．
前記ＳＭメッセージは、前記ＳＭメッセージに関連付けられたセッション管理トランザクション（例えば、５ＧＳＭトランザクション）を特定するプロシージャトランザクション識別子（ＰＴＩ）インジケーションを含むＡ１からＡ３のいずれか一項に記載の方法。
Ａ５．
前記ＳＭメッセージは、（ｉ）セッション確立要求メッセージ（例えば、ＰＤＵセッション確立要求メッセージ）、（ｉｉ）セッション変更要求メッセージ（例えば、ＰＤＵセッション変更要求メッセージ）、および（ｉｉｉ）セッション解放要求メッセージ（例えば、ＰＤＵセッション解放要求メッセージ）、のうちのいずれかであり、
方法はさらに、
不達の前記インジケーションを受信したことの結果として、タイマ（例えば、Ｔｘ、ＴｋまたはＴｚ）を停止することを含むＡ１からＡ４のいずれか一項に記載の方法。
Ａ６．
前記方法はさらに、
不達の前記インジケーションを受信したことの結果として、前記ＳＭメッセージに関連付けられたセッションが、（ｉ）確立されていない、（ｉｉ）変更されていない、または（ｉｉｉ）解放されていないのうちのいずれかであると決定することを含むＡ５に記載の方法。
Ａ７．
不達の前記インジケーションは前記ＳＭメッセージをＳＭＦに送達することに失敗した理由を含むＡ１からＡ６のいずれか一項に記載の方法。
Ａ８．
ユーザデータを提供することと、
前記基地局への前記送信を介して、ホストコンピュータに、前記ユーザデータを転送することと、をさらに含む上記実施の形態のいずれか一項に記載の方法。
グループＢの実施の形態−基地局
Ｂ１．
アクセスおよびモビリティ管理機能（ＡＭＦ）によって行われる方法であって、
ＳＭメッセージ（例えば、５ＧＳＭメッセージ）を含む、無線デバイスによって送信されたトランスポートメッセージ（例えば、ＵＬ  ＳＭメッセージトランスポートメッセージ）を受信することと、
ＳＭメッセージがＳＭＦに転送可能か否かを、トランスポートメッセージに基づいて、判定することと。
ＳＭメッセージがＳＭＦに転送不可であるとの判定の結果として、トランスポートメッセージの少なくとも一部とＳＭメッセージのＳＭＦへの不達のインジケーションとを含むステータスメッセージ（例えば、５ＧＭＭステータスメッセージ）を生成することと、
ステータスメッセージを無線デバイスに送信することと、を含む方法。
Ｂ２．
前記トランスポートメッセージの前記一部が前記ＳＭメッセージを含むＢ１に記載の方法。
Ｂ３．
前記ＳＭメッセージは、前記ＳＭメッセージに関連付けられたセッション管理トランザクション（例えば、５ＧＳＭトランザクション）を特定するプロシージャトランザクション識別子（ＰＴＩ）インジケーションを含むＢ１またはＢ２に記載の方法。
Ｂ４．
前記トランスポートメッセージはさらに、プロトコルデータユニット（ＰＤＵ）セッション識別子（ＩＤ）、データネットワークネーム（ＤＮＮ）および要求タイプインジケーションのうちの少なくともひとつ以上を含むＢ１からＢ３のいずれか一項に記載の方法。
Ｂ５．
前記ＳＭメッセージがＳＭＦに転送可能か否かを、前記トランスポートメッセージに基づいて、決定することは、さらに、
前記ＡＭＦが前記ＰＤＵセッション識別子に対するＰＤＵセッションルーティングコンテクストを有しているか否かを決定することであって、前記要求タイプインジケーションは、前記ＳＭメッセージが初期要求に関連付けられていることを示す、決定することと、
前記ＡＭＦが前記ＰＤＵセッション識別子に対するＰＤＵセッションルーティングコンテクストを有していないとの決定の結果として、ＳＭＦは前記ＳＭメッセージに対して選択不可能であると決定することと、を含むＢ４に記載の方法。
Ｂ６．
前記ＳＭメッセージがＳＭＦに転送可能か否かを、前記トランスポートメッセージに基づいて、決定することは、さらに、
前記ＡＭＦが前記ＰＤＵセッション識別子に対するＰＤＵセッションルーティングコンテクストを有しているか否かを決定することであって、前記要求タイプインジケーションは、前記ＳＭメッセージが既存のＰＤＵセッションに関連付けられていることを示す、決定することと、
前記無線デバイスのサブスクリプションコンテクストを、統合データ管理（ＵＤＭ）から取得することであって、前記サブスクリプションコンテクストが少なくともひとつ以上のＳＭＦ識別子（ＩＤ）を有する、取得することと、
（ｉ）前記ＡＭＦが前記ＰＤＵセッション識別子に対するＰＤＵセッションルーティングコンテクストを有していない、および（ｉｉ）前記少なくともひとつ以上のＳＭＦ  ＩＤが前記ＤＮＮに関連付けられていない、という決定の結果として、ＳＭＦは前記ＳＭメッセージに対して選択不可能であると決定することと、を含むＢ４に記載の方法。
Ｂ７．
前記ＳＭメッセージがＳＭＦに転送可能か否かを、前記トランスポートメッセージに基づいて、決定することは、さらに、
前記ＡＭＦが前記ＰＤＵセッション識別子に対するＰＤＵセッションルーティングコンテクストを有しているか否かを決定することであって、前記要求タイプインジケーションは、前記ＳＭメッセージが既存のＰＤＵセッションに関連付けられていること、および前記ＤＮＮが前記トランスポートメッセージに含まれていないこと、を示す、決定することと、
前記無線デバイスのサブスクリプションコンテクストを、統合データ管理（ＵＤＭ）から取得することであって、前記サブスクリプションコンテクストが少なくともひとつ以上のＳＭＦ識別子（ＩＤ）を有する、取得することと、
（ｉ）前記ＡＭＦが前記ＰＤＵセッション識別子に対するＰＤＵセッションルーティングコンテクストを有していない、および（ｉｉ）前記少なくともひとつ以上のＳＭＦ  ＩＤがデフォルトのＤＮＮに関連付けられていない、という決定の結果として、ＳＭＦは前記ＳＭメッセージに対して選択不可能であると決定することと、を含むＢ４に記載の方法。
Ｂ８．
前記ＳＭメッセージがＳＭＦに転送可能か否かを、前記トランスポートメッセージに基づいて、決定することは、さらに、
前記ＡＭＦが前記ＰＤＵセッション識別子に対するＰＤＵセッションルーティングコンテクストを有しているか否かを決定することであって、前記要求タイプインジケーションが前記トランスポートメッセージに含まれていない、決定することと、
前記ＡＭＦが前記ＰＤＵセッション識別子に対するＰＤＵセッションルーティングコンテクストを有していないとの決定の結果として、ＳＭＦは前記ＳＭメッセージに対して選択不可能であると決定することと、を含むＢ４に記載の方法。
Ｂ９．
不達の前記インジケーションは前記ＳＭメッセージをＳＭＦに送達することに失敗した理由を含むＢ１からＢ８のいずれか一項に記載の方法。
Ｂ１０．
ユーザデータを取得することと、
前記ユーザデータをホストコンピュータまたは無線デバイスに転送することと、をさらに含む上記実施の形態のいずれか一項に記載の方法。
グループＣの実施の形態
Ｃ１．
グループＡの実施の形態のいずれか一項に記載のステップのいずれかひとつを行うよう構成された処理回路と、
前記無線デバイスに電力を供給するよう構成された電源回路と、を備える無線デバイス。
Ｃ２．
基地局であって、
グループＢの実施の形態のいずれか一項に記載のステップのいずれかひとつを行うよう構成された処理回路と、
前記無線デバイスに電力を供給するよう構成された電源回路と、を備える基地局。
Ｃ３．
ユーザ装置（ＵＥ）であって、
無線信号を送受信するよう構成されたアンテナと、
前記アンテナおよび処理回路に接続された無線フロントエンド回路であって、前記アンテナと前記処理回路との間でやりとりされる信号を調整するよう構成された無線フロントエンド回路と、
グループＡの実施の形態のいずれか一項に記載のステップのいずれかひとつを行うよう構成された前記処理回路と、
前記処理回路に接続された入力インタフェースであって、前記ＵＥに入力される情報が前記処理回路によって処理されることを可能とする入力インタフェースと、
前記処理回路に接続された出力インタフェースであって、前記処理回路によって処理された情報を前記ＵＥから出力するよう構成された出力インタフェースと、
前記処理回路に接続され、前記ＵＥに電力を供給するよう構成されたバッテリと、を備えるユーザ装置。
Ｃ４．
ユーザデータを提供するよう構成された処理回路と、
ユーザ装置（ＵＥ）への送信のために、前記ユーザデータをセルラネットワークに転送するよう構成された通信インタフェースと、を備え、
前記セルラネットワークが、無線インタフェースと処理回路とを有する基地局を備え、前記基地局の処理回路が、グループＢの実施の形態のいずれか一項に記載のステップのいずれかひとつを行うよう構成されるホストコンピュータを含む通信システム。
Ｃ５．
前記基地局をさらに含む実施の形態Ｃ１からＣ４のいずれか一項に記載の通信システム。
Ｃ６．
前記ＵＥをさらに含み、前記ＵＥが前記基地局と通信するよう構成される実施の形態Ｃ２６またはＣ２７に記載の通信システム。
Ｃ７．
前記ホストコンピュータの前記処理回路がホストアプリケーションを実行するよう構成され、それにより、前記ユーザデータを提供し、
前記ＵＥが、前記ホストアプリケーションに関連付けられたクライアントアプリケーションを実行するよう構成された処理回路を備える実施の形態Ｃ４からＣ６のいずれか一項に記載の通信システム。
Ｃ８．
ホストコンピュータ、基地局、およびユーザ装置（ＵＥ）を含む通信システムにおいて実施される方法であって、当該方法は、
前記ホストコンピュータにおいて、ユーザデータを提供することと、
前記ホストコンピュータにおいて、前記基地局を含むセルラネットワークを介して前記ユーザデータを前記ＵＥに運ぶ送信を開始することと、を含み、
前記基地局が、グループＢの実施の形態のいずれか一項に記載のステップのいずれかひとつを実行する方法。
Ｃ９．
前記基地局において、前記ユーザデータを送信することをさらに含む実施の形態Ｃ８に記載の方法。
Ｃ１０．
前記ユーザデータは、ホストアプリケーションを実行することによって前記ホストコンピュータにおいて提供され、前記方法はさらに、前記ＵＥにおいて、前記ホストアプリケーションに関連付けられたクライアントアプリケーションを実行することを含む実施の形態Ｃ８またはＣ９に記載の方法。
Ｃ１１．
基地局と通信するよう構成されたユーザ装置（ＵＥ）であって、前記ＵＥが無線インタフェースと、実施の形態Ｃ８からＣ１０のいずれか一項に記載の方法を実行するよう構成された処理回路と、を備えるユーザ装置。
Ｃ１２．
ホストコンピュータを含む通信システムであって、当該ホストコンピュータが、
ユーザデータを提供するよう構成された処理回路と、
ユーザ装置（ＵＥ）への送信のために、ユーザデータをセルラネットワークに転送するよう構成された通信インタフェースと、を備え、
前記ＵＥが、無線インタフェースと処理回路とを備え、前記ＵＥのコンポーネントが、グループＡの実施の形態のいずれか一項に記載のステップのいずれかひとつを行うよう構成される通信システム。
Ｃ１３．
前記セルラネットワークはさらに、前記ＵＥと通信するよう構成された基地局を含む実施の形態Ｃ１２に記載の通信システム。
Ｃ１４．
前記ホストコンピュータの前記処理回路がホストアプリケーションを実行するよう構成され、それにより、前記ユーザデータを提供し、
前記ＵＥの処理回路が、前記ホストアプリケーションに関連付けられたクライアントアプリケーションを実行するよう構成される実施の形態Ｃ１２またはＣ１３に記載の通信システム。
Ｃ１５．
ホストコンピュータ、基地局、およびユーザ装置（ＵＥ）を含む通信システムにおいて実施される方法であって、当該方法は、
前記ホストコンピュータにおいて、ユーザデータを提供することと、
前記ホストコンピュータにおいて、前記基地局を含むセルラネットワークを介して前記ユーザデータを前記ＵＥに運ぶ送信を開始することと、を含み、
前記ＵＥが、グループＡの実施の形態のいずれか一項に記載のステップのいずれかひとつを実行する方法。
Ｃ１６．
前記ＵＥにおいて、前記基地局からの前記ユーザデータを受信することをさらに含む実施の形態Ｃ１５に記載の方法。
Ｃ１７．
ホストコンピュータを含む通信システムであって、当該ホストコンピュータが、
ユーザ装置（ＵＥ）から基地局への送信に由来するユーザデータを受信するよう構成された通信インタフェースと、を備え、
前記ＵＥが、無線インタフェースと処理回路とを備え、前記ＵＥの処理回路が、グループＡの実施の形態のいずれか一項に記載のステップのいずれかひとつを行うよう構成される通信システム。
Ｃ１８．
前記ＵＥをさらに含む実施の形態Ｃ１７に記載の通信システム。
Ｃ１９．
前記基地局をさらに備え、前記基地局は、前記ＵＥと通信するよう構成された無線インタフェースと、前記ＵＥから前記基地局への送信によって運ばれる前記ユーザデータを前記ホストコンピュータに転送するよう構成された通信インタフェースと、を備える実施の形態Ｃ１７またはＣ１８に記載の通信システム。
Ｃ２０．
前記ホストコンピュータの前記処理回路がホストアプリケーションを実行するよう構成され、
前記ＵＥの処理回路が、前記ホストアプリケーションに関連付けられたクライアントアプリケーションを実行するよう構成され、それにより前記ユーザデータを提供する実施の形態Ｃ４からＣ６のいずれか一項に記載の通信システム。
Ｃ２１．
前記ホストコンピュータの前記処理回路がホストアプリケーションを実行するよう構成され、それにより、前記要求データを提供し、
前記ＵＥの処理回路が、前記ホストアプリケーションに関連付けられたクライアントアプリケーションを実行するよう構成され、それにより前記要求データに応じて前記ユーザデータを提供する実施の形態Ｃ１７からＣ２０のいずれか一項に記載の通信システム。
Ｃ２２．
ホストコンピュータ、基地局、およびユーザ装置（ＵＥ）を含む通信システムにおいて実施される方法であって、当該方法は、
前記ホストコンピュータにおいて、前記ＵＥから前記基地局に送信されたユーザデータを受信することを含み、前記ＵＥがグループＡの実施の形態のいずれか一項に記載のステップのいずれかひとつを実行する方法。
Ｃ２３．
前記ＵＥにおいて、前記基地局に前記ユーザデータを提供することをさらに含む実施の形態Ｃ２２に記載の方法。
Ｃ２４．
前記ＵＥにおいてクライアントアプリケーションを実行することと、それによって、送信対象の前記ユーザデータを提供することと、
前記ホストコンピュータにおいて、前記クライアントアプリケーションに関連付けられたホストアプリケーションを実行することと、をさらに含む実施の形態Ｃ２２またはＣ２３に記載の方法。
Ｃ２５．
前記ＵＥにおいて、クライアントアプリケーションを実行することと、
前記ＵＥにおいて、前記クライアントアプリケーションへの入力データを受信することと、をさらに含み、
前記入力データは、前記クライアントアプリケーションに関連付けられているホストアプリケーションを実行することによって、前記ホストコンピュータにおいて提供され、
送信対象の前記ユーザデータが、前記入力データに応じて前記クライアントアプリケーションによって提供される実施の形態Ｃ２２からＣ２４のいずれか一項に記載の方法。
Ｃ２６．
ホストコンピュータを含む通信システムであって、当該ホストコンピュータが、ユーザ装置（ＵＥ）から基地局への送信に由来するユーザデータを受信するよう構成された通信インタフェースを備え、前記基地局が無線インタフェースと処理回路とを備え、前記基地局の処理回路が、グループＢの実施の形態のいずれか一項に記載のステップのいずれかひとつを行うよう構成される通信システム。
Ｃ２７．
前記基地局をさらに含む実施の形態Ｃ２６に記載の通信システム。
Ｃ２８．
前記ＵＥをさらに含み、前記ＵＥが前記基地局と通信するよう構成される実施の形態Ｃ２６またはＣ２７に記載の通信システム。
Ｃ２９．
前記ホストコンピュータの前記処理回路がホストアプリケーションを実行するよう構成され、
前記ＵＥが、前記ホストアプリケーションに関連付けられたクライアントアプリケーションを実行するよう構成され、それにより前記ホストコンピュータによって受信されるべき前記ユーザデータを提供する実施の形態Ｃ４からＣ６のいずれか一項に記載の通信システム。
Ｃ３０．
ホストコンピュータ、基地局、およびユーザ装置（ＵＥ）を含む通信システムにおいて実施される方法であって、当該方法は、
前記ホストコンピュータにおいて、前記基地局が前記ＵＥから受信した送信に由来するユーザデータを前記基地局から受信することを含み、
前記ＵＥがグループＡの実施の形態のいずれか一項に記載のステップのいずれかひとつを実行する方法。
Ｃ３１．
前記基地局において、前記ＵＥからの前記ユーザデータを受信することをさらに含む実施の形態Ｃ３０に記載の方法。
Ｃ３２．
前記基地局において、前記ホストコンピュータへの前記受信されたユーザデータの送信を開始することをさらに含む実施の形態Ｃ３０またはＣ３１に記載の方法。
【０１２８】
本開示の様々な実施形態が本明細書（添付の付録を含む）に記載されているが、それらは例としてのみ提示されており、限定として提示されていないことを理解されたい。したがって、本開示の幅および範囲は、上述の例示的な実施形態のいずれによっても限定されるべきではない。さらに、本明細書で別段の指示がない限り、または文脈によって明らかに矛盾しない限り、そのすべての可能な変形形態における上述の要素の任意の組合せが、本開示に包含される。
【０１２９】
さらに、上記で説明され、図面に示されたプロセスは一連のステップとして示されているが、これは単に例示のために行われたものである。したがって、いくつかのステップが追加されてもよく、いくつかのステップが省略されてもよく、ステップの順序が再配置されてもよく、いくつかのステップが並列に実行されてもよいことが企図される。
付録
２．  変更理由
２．１  問題の説明
ＴＲ  ２４．８９０  には以下のエディタノートがある：
−−−−−−−−−−−−−−
８．５．１．１．２．１．１．４  ネットワーク側の異常ケース
ＡＭＦでは以下のような異常ケースが特定される：
ａ）ＡＭＦがＵＬ  ＳＭメッセージトランスポートメッセージおよびＵＥのＰＤＵセッションＩＤに対するＰＤＵセッションルーティングコンテクストを持たず、ＵＬ  ＳＭメッセージトランスポートメッセージの要求タイプＩＥが「初期要求」に設定され、ＳＭＦの選択が失敗した。
エディタノート：この異常ケースの取り扱いはＦＦＳである
．．．
ｂ）ＡＭＦがＵＬ  ＳＭメッセージトランスポートメッセージとＵＥのＰＤＵセッションＩＤに対するＰＤＵセッションルーティングコンテクストを持たず、ＵＬ  ＳＭメッセージトランスポートメッセージの要求タイプＩＥが「既存のＰＤＵセッション」に設定され、ＵＤＭから取得されたユーザのサブスクリプションコンテクストが以下に対応するＳＭＦ  ＩＤを含まない場合：
１）ＵＬ  ＳＭメッセージトランスポートメッセージのＤＮＮ（ＤＮＮがＮＡＳ  ＳＭメッセージトランスポートメッセージに含まれている場合）、または、
２）ＵＬ  ＳＭメッセージトランスポートメッセージにＤＮＮが含まれていない場合は、デフォルトのＤＮＮ
エディタノート：この異常ケースの取り扱いはＦＦＳである
−−−−−−−−−−−−−−
要求タイプがＵＥによって提供されていない場合にも、同様のエラーが発生する可能性がある。
上記の場合に処理が定義されていない場合、失敗は永続的な原因によるものであり（例えば、要求されたＤＮＮは、ＵＥについて認可されていないＤＮＮである）、ＳＭメッセージは再送される、そしてＵＥは新しいＵＬ  ＳＭメッセージトランスポートメッセージでＳＭメッセージを再送するのであろう、そしてＡＭＦは同じ失敗を伴うＳＭＦ選択を再び繰り返す必要がある。
２．２  可能な解決策
２．２．１  代替案−１
ＵＥ開始ＮＡＳトランスポートプロシージャは、ＵＬ  ＳＭメッセージトランスポート許容メッセージまたはＵＬ  ＳＭメッセージトランスポート拒否メッセージで拡張され、ＡＭＦはＵＬ  ＳＭメッセージトランスポート要求メッセージの受信および処理時にそれを送信する。ＵＥによって開始されるＮＡＳトランスポートプロシージャは、任意の時点で１つまでしか実行できない。
ＡＭＦがＵＬ  ＳＭメッセージトランスポート要求メッセージの５ＧＳＭメッセージを転送できる場合、ＡＭＦはＵＬ  ＳＭメッセージトランスポート許容メッセージを送信する。
ＡＭＦがＵＬ  ＳＭメッセージトランスポート要求メッセージの５ＧＳＭメッセージを転送できない場合、ＡＭＦはＵＬ  ＳＭメッセージトランスポート拒否メッセージを送信する。ＵＬ  ＳＭメッセージトランスポート拒否メッセージには、原因が含まれている。
ＳＭトランスポートレイヤに信頼性が提供されるので、５ＧＳＭプロシージャは５ＧＳＭメッセージを再送する必要がないだろう。
５ＧＳＭメッセージの輸送が失敗した場合、５ＧＳＭプロシージャは５ＧＳＭプロシージャが正常に完了されなかったと見なすであろう。
２．２．２  代替案−２
ＡＭＦがＵＬ  ＳＭメッセージトランスポートメッセージの５ＧＳＭメッセージを転送することができない場合、ＡＭＦは５ＧＭＭステータスメッセージを送信する。５ＧＭＭステータスメッセージは、ＵＬ  ＳＭメッセージトランスポートメッセージ含む５ＧＭＭメッセージコンテナＩＥと、原因と、を含む。
ＵＥが、５ＧＳＭメッセージを含むＵＬ  ＳＭメッセージトランスポートメッセージを含む５ＧＭＭメッセージコンテナＩＥを伴う５ＧＭＭステータスメッセージを受信する場合、５ＧＭＭレイヤは５ＧＳＭレイヤに、５ＧＳＭメッセージの不達について通知する。
５ＧＳＭメッセージの不達に基づいて、５ＧＳＭプロシージャは、５ＧＳＭメッセージのいかなる再送も停止し、５ＧＳＭプロシージャの完了が成功しなかったとみなす。
２．２．３  代替案−３
ＡＭＦは拒否用のＳＭＦで設定される。
ＡＭＦは、拒否用のＳＭＦにルート転送できないＳＭメッセージをルーティングする。ＳＭＦは、適切な５ＧＳＭ応答メッセージで５ＧＳＭ要求メッセージを拒否する。
２．２．４  代替案−４
ＡＭＦがＳＭＦを選択することができない場合、何もせず、再送信で生存する。
２．３  評価
代替案−１  ではひとつの５Ｇ  ＳＭメッセージを輸送するために２つのＮＡＳ  メッセージが必要であるが、既存のプロシージャでは１つのＮＡＳメッセージのみが必要である。
代替案−３  には、ＳＭＦ  の配備が必要である。ＳＭＦは、完全に機能する必要はなく、ＵＥからの５ＧＳＭメッセージを拒否できるだけでよい。
代替案−４はこの問題を解決しない。
４．  提案
代替案−２を適用することが提案されている。
３ＧＰＰ  ＴＲ  ２４．８９０に対する以下の変更に同意することが提案される。
８．５．１．１．２．１．１．４  ネットワーク側の異常ケース
ＡＭＦでは以下のような異常ケースが特定される：
ａ）ＡＭＦがＵＬ  ＳＭメッセージトランスポートメッセージおよびＵＥのＰＤＵセッションＩＤに対するＰＤＵセッションルーティングコンテクストを持たず、ＵＬ  ＳＭメッセージトランスポートメッセージの要求タイプＩＥが「初期要求」に設定され、ＳＭＦの選択が失敗した場合、ＡＭＦは５ＧＭＭステータスメッセージを生成しなければならない。ＡＭＦは、５ＧＭＭステータスメッセージの５ＧＭＭメッセージコンテナＩＥを、ＵＬ  ＳＭメッセージトランスポートメッセージに設定しなければならない。ＡＭＦは、５ＧＭＭステータスメッセージの原因ＩＥを、失敗した原因を示す原因に設定しなければならない。ＡＭＦは、５ＧＭＭステータスメッセージをＵＥに送信しなければならない。
ｂ）ＡＭＦがＵＬ  ＳＭメッセージトランスポートメッセージとＵＥのＰＤＵセッションＩＤに対するＰＤＵセッションルーティングコンテクストを持たず、ＵＬ  ＳＭメッセージトランスポートメッセージの要求タイプＩＥが「既存のＰＤＵセッション」に設定され、ＵＤＭから取得されたユーザのサブスクリプションコンテクストが以下に対応するＳＭＦ  ＩＤを含まない場合：
１）ＵＬ  ＳＭメッセージトランスポートメッセージのＤＮＮ（ＤＮＮがＮＡＳ  ＳＭメッセージトランスポートメッセージに含まれている場合）、または、
２）ＵＬ  ＳＭメッセージトランスポートメッセージにＤＮＮが含まれていない場合は、デフォルトのＤＮＮ
ＡＭＦは５ＧＭＭステータスメッセージを生成しなければならない。ＡＭＦは、５ＧＭＭステータスメッセージの５ＧＭＭメッセージコンテナＩＥを、ＵＬ  ＳＭメッセージトランスポートメッセージに設定しなければならない。ＡＭＦは、５ＧＭＭステータスメッセージの原因ＩＥを、失敗した原因を示す原因に設定しなければならない。ＡＭＦは、５ＧＭＭステータスメッセージをＵＥに送信しなければならない。
ｃ）ＡＭＦがＵＬ  ＳＭメッセージトランスポートメッセージおよびＵＥのＰＤＵセッションＩＤに対するＰＤＵセッションルーティングコンテクストを持たず、ＵＬ  ＳＭメッセージトランスポートメッセージの要求タイプＩＥが提供されない場合、ＡＭＦは５ＧＭＭステータスメッセージを生成しなければならない。ＡＭＦは、５ＧＭＭステータスメッセージの５ＧＭＭメッセージコンテナＩＥを、ＵＬ  ＳＭメッセージトランスポートメッセージに設定しなければならない。ＡＭＦは、５ＧＭＭステータスメッセージの原因ＩＥを、失敗した原因を示す原因に設定しなければならない。ＡＭＦは、５ＧＭＭステータスメッセージをＵＥに送信しなければならない。
ｄ）ＡＭＦがＵＬ  ＳＭメッセージトランスポートメッセージとＵＥのＰＤＵセッションＩＤに対するＰＤＵセッションルーティングコンテクストを有し、ＵＬ  ＳＭメッセージトランスポートメッセージの要求タイプＩＥが「初期要求」に設定され、ＡＭＦが再割当要求インジケーションを受信していない場合、ＡＭＦはＳＭメッセージ、ＰＤＵセッションＩＤ、Ｓ−ＮＳＳＡＩ（受信した場合）、ＤＮＮ（受信した場合）、およびＵＬ  ＳＭメッセージトランスポートメッセージの要求タイプをＰＤＵセッションルーティングコンテクストのＳＭＦ  ＩＤに向けて転送しなければならない。
ｅ）ＡＭＦがＵＬ  ＳＭメッセージトランスポートメッセージとＵＥのＰＤＵセッションＩＤに対するＰＤＵセッションルーティングコンテクストを有し、ＰＤＵセッションルーティングコンテクストが、ＰＤＵセッションが緊急ＰＤＵセッションであることを示し、ＵＬ  ＳＭメッセージトランスポートメッセージの要求タイプＩＥが「初期緊急要求」に設定されている場合、ＡＭＦはＳＭメッセージ、ＰＤＵセッションＩＤ、Ｓ−ＮＳＳＡＩ（受信した場合）、ＤＮＮ（受信した場合）、およびＵＬ  ＳＭメッセージトランスポートメッセージの要求タイプをＰＤＵセッションルーティングコンテクストのＳＭＦ  ＩＤに向けて転送しなければならない。
ｆ）ＡＭＦがＵＬ  ＳＭメッセージトランスポートメッセージとＵＥのＰＤＵセッションＩＤに対するＰＤＵセッションルーティングコンテクストを有し、ＵＬ  ＳＭメッセージトランスポートメッセージの要求タイプＩＥが「初期要求」に設定され、ＡＭＦがＳＭＦが再割当されるべきであるとの再割当要求インジケーションをＳＭＦから受信しており、ＰＤＵセッションルーティングコンテクストが再割り当てされたＳＭＦ  ＩＤを含む場合、ＡＭＦはＳＭメッセージ、ＰＤＵセッションＩＤ、Ｓ−ＮＳＳＡＩ（受信した場合）、ＤＮＮ（受信した場合）、およびＵＬ  ＳＭメッセージトランスポートメッセージの要求タイプをＰＤＵセッションルーティングコンテクストの再割り当てされたＳＭＦ  ＩＤに向けて転送しなければならない。
８．５．１．１．２．１．１．５ネットワークによって受け入れられないＵＥ開始ＳＭメッセージトランスポート開始
ＵＬ  ＳＭメッセージトランスポートメッセージを含む５ＧＭＭメッセージコンテナＩＥをもつ５ＧＭＭステータスメッセージを受信すると、ＵＥはクローズ９で規定されている５ＧＳＭプロシージャに、ＵＬ  ＳＭメッセージトランスポートメッセージのＳＭメッセージと共に、不達のインジケーションを渡す。
９．４．２．５ＵＥの異常ケース
以下のような異常ケースが特定されうる：
ａ）Ｔｘ満了
エディタノート：ＵＥにおけるさらなる異常ケースはＦＦＳである。
ｂ）割り当てられたＰＴＩ値に設定されたＰＴＩ  ＩＥを有するＰＤＵセッション確立要求メッセージと共に不達のインジケーションを受信すると、ＵＥは、タイマＴｘを停止し、割り当てられたＰＴＩ値を解放し、ＰＤＵセッションが確立されていないと見なさなければならない。
９．４．４．５ＵＥの異常ケース
以下のような異常ケースが特定されうる：
ａ）Ｔｋ満了
エディタノート：さらなる異常ケースはＦＦＳである。
ｂ）割り当てられたＰＴＩ値に設定されたＰＴＩ  ＩＥを有するＰＤＵセッション変更要求メッセージと共に不達のインジケーションを受信すると、ＵＥは、タイマＴｋを停止し、割り当てられたＰＴＩ値を解放し、ＰＤＵセッションが変更されていないと見なさなければならない。
９．４．６．５ＵＥの異常ケース
以下のような異常ケースが特定されうる：
ａ）Ｔｚ満了
エディタノート：さらなる異常ケースはＦＦＳである。
ｂ）割り当てられたＰＴＩ値に設定されたＰＴＩ  ＩＥを有するＰＤＵセッション解放要求メッセージと共に不達のインジケーションを受信すると、ＵＥは、タイマＴｚを停止し、割り当てられたＰＴＩ値を解放し、ＰＤＵセッションが解放されていないと見なさなければならない。
略語
以下の略語のうちの少なくともいくつかが本開示で使用されてもよい。略語間に不一致がある場合、それが上記でどのように使用されるかが優先されるべきである。以下に複数回列挙される場合、最初の列挙は、その後の任意の列挙よりも優先されるべきである。
１ｘ  ＲＴＴＣＤＭＡ２０００  １ｘ  無線送信技術
３ＧＰＰ  第三世代パートナーシッププロジェクト
５Ｇ  第５世代
ＡＢＳ  ほぼブランクのサブフレーム
ＡＲＱ  自動繰り返し要求
ＡＷＧＮ  追加白色ガウシアンノイズ
ＢＣＣＨ  報知制御チャネル
ＢＣＨ  報知チャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域内の電力密度で除した、チップごとのＣＰＩＣＨ受信エネルギ
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調基準信号
ＤＲＸ  不連続受信
ＤＴＸ  不連続送信
ＤＴＣＨ  専用トラフィックチャネル
ＤＵＴ  テスト中のデバイス
Ｅ−ＣＩＤ  エンハンストセルＩＤ（位置決め方法）
Ｅ−ＳＭＬＣ  エバルブドサービングモバイルロケーションセンタ
ＥＣＧＩ  エバルブドＣＧＩ
ｅＮＢ  Ｅ−ＵＴＲＡＮノードＢ
ｅＰＤＣＣＨ  エンハンスト物理ダウンリンク制御チャネル
Ｅ−ＳＭＬＣ  エバルブドサービングモバイルロケーションセンタ
Ｅ−ＵＴＲＡ  エバルブドＵＴＲＡ
Ｅ−ＵＴＲＡＮ  エバルブドＵＴＲＡＮ
ＦＤＤ  周波数分割複信
ＦＦＳ  さらなる研究用
ＧＥＲＡＮ  ＧＳＭ  ＥＤＧＥ無線アクセスネットワーク
ｇＮＢ  ＮＲの基地局
ＧＮＳＳ  グローバルナビゲーション衛星システム
ＧＳＭ  グローバルシステムフォーモバイルコミュニケーション
ＨＡＲＱ  ハイブリッド自動繰り返し要求
ＨＯ  ハンドオーバ
ＨＳＰＡ  高速パケットアクセス
ＨＲＰＤ  高レートパケットデータ
ＬＯＳ  見通し線
ＬＰＰ  ＬＴＥ位置決めプロトコル
ＬＴＥ  ロングタームエボリューション
ＭＡＣ  メディアアクセスコントロール
ＭＢＭＳ  マルチメディア報知マルチキャストサービス
ＭＢＳＦＮ  マルチメディア報知マルチキャストサービス単一周波数ネットワーク
ＭＢＳＦＮ  ＡＢＳ  ＭＢＳＦＮほぼブランクのサブフレーム
ＭＤＴ  ドライブテストの最小化
ＭＩＢ  マスタ情報ブロック
ＭＭＥ  モビリティマネジメントエンティティ
ＭＳＣ  モバイルスイッチングセンタ
ＮＰＤＣＣＨ  狭帯域物理ダウンリンク制御チャネル
ＮＲ  新たな無線
ＯＣＮＧ  ＯＦＤＭＡチャネルノイズ生成器
ＯＦＤＭ  直交周波数分割多重
ＯＦＤＭＡ  直交周波数分割複数アクセス
ＯＳＳ  オペレーションサポートシステム
ＯＴＤＯＡ  観測された到着時間差
Ｏ＆Ｍ  オペレーションおよびメンテナンス
ＰＢＣＨ  物理報知チャネル
Ｐ−ＣＣＰＣＨ  プライマリ共通制御物理チャネル
ＰＣｅｌｌ  プライマリセル
ＰＣＦＩＣＨ  物理制御フォーマットインジケータチャネル
ＰＤＣＣＨ  物理ダウンリンクコントロールチャネル
ＰＤＰ  プロファイル遅延プロファイル
ＰＤＳＣＨ  物理ダウンリンク共有チャネル
ＰＧＷ  パケットゲートウエイ
ＰＨＩＣＨ  物理ハイブリッドＡＲＱインジケータチャネル
ＰＬＭＮ  公衆陸上モバイルネットワーク
ＰＭＩ  プレコーダマトリクスインジケータ
ＰＲＡＣＨ  物理ランダムアクセスチャネル
ＰＲＳ  位置決め参照信号
ＰＳＳ  プライマリ同期信号
ＰＵＣＣＨ  物理アップリンク制御チャネル
ＰＤＳＣＨ  物理ダウンリンク共有チャネル
ＲＡＣＨ  ランダムアクセスチャネル
ＱＡＭ  直交振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時的識別子
ＲＲＣ  無線リソースコントロール
ＲＲＭ  無線リソース管理
ＲＳ  基準信号
ＲＳＣＰ  受信信号符号電力
ＲＳＲＰ  参照シンボル受信電力、または基準信号受信電力
ＲＳＲＱ  基準信号受信品質
ＲＳＲＱ  参照シンボル受信品質
ＲＳＳＩ  受信信号強度インジケータ
ＲＳＴＤ  参照信号時間差
ＳＣＨ  同期チャネル
ＳＣｅｌｌ  セカンダリセル
ＳＤＵ  サービスデータユニット
ＳＦＮ  システムフレーム番号
ＳＧＷ  サービングゲートウエイ
ＳＩ  システム情報
ＳＩＢ  システム情報ブロック
ＳＮＲ  信号対ノイズ比
ＳＯＮ  自己最適化ネットワーク
ＳＳ  同期信号
ＳＳＳ  セカンダリ同期信号
ＴＤＤ  時分割複信
ＴＤＯＡ  到着時間差
ＴＯＡ  到着時間
ＴＳＳ  ターシャリ同期信号
ＴＴＩ  送信時間間隔
ＵＥ  ユーザ装置
ＵＬ  アップリンク
ＵＭＴＳ  ユニバーサルモバイルテレコミュニケーションシステム
ＵＳＩＭ  ユニバーサルサブスクライバアイデンティティモジュール
ＵＴＤＯＡ  アップリンク到着時間差
ＵＴＲＡ  ユニバーサルテレストリアル無線アクセス
ＵＴＲＡＮ  ユニバーサルテレストリアル無線アクセスネットワーク
ＷＣＤＭＡ  ワイドＣＤＭＡ
ＷＬＡＮ  ワイドローカルエリアネットワーク
【図面の簡単な説明】
【０１３０】
図ＱＱ１は、例示的な無線ネットワークを示す。
図ＱＱ２は、ＵＥのある実施の形態を示す。
図ＱＱ３は、仮想化環境を示す模式的なブロック図を示す。
図ＱＱ４は、通信システムを示す。
図ＱＱ５は、ＵＥ、基地局およびホストコンピュータの例示的な実装を示す。
図ＱＱ６は、通信システムにおいて実施される方法を示すフローチャートである。
図ＱＱ７は、通信システムにおいて実施される方法を示すフローチャートである。
図ＱＱ８は、通信システムにおいて実施される方法を示すフローチャートである。
図ＱＱ９は、通信システムにおいて実施される方法を示すフローチャートである。
図ＶＶ１は、特定の実施の形態に係る、方法ＶＶ１００を示す。
図ＶＶ２は、特定の実施の形態に係る、方法ＶＶ２００を示す。
図ＷＷ１は、装置の模式的なブロック図を示す。
図ＷＷ２は、装置の模式的なブロック図を示す。
【図ＱＱ１】
0006936392.tif 000002
【図ＱＱ２】
0006936392.tif 000003
【図ＱＱ３】
0006936392.tif 000004
【図ＱＱ４】
0006936392.tif 000005
【図ＱＱ５】
0006936392.tif 000006
【図ＱＱ６】
0006936392.tif 000007
【図ＱＱ７】
0006936392.tif 000008
【図ＱＱ８】
0006936392.tif 000009
【図ＱＱ９】
0006936392.tif 000010
【図ＶＶ１】
0006936392.tif 000011
【図ＶＶ２】
0006936392.tif 000012
【図ＷＷ１】
0006936392.tif 000013
【図ＷＷ２】
0006936392.tif 000014